(57)【要約】  【課題】複数の伝送方式に対応してドット妨害を軽減すること。  【解決手段】輝度信号（Ｙ）には、分離し切れなかったクロマ信号（残留クロマサブキャリア）が含まれ、残留クロマサブキャリアが原因によりドット妨害が生じる。ドット妨害を軽減するために、輝度信号（Ｙ）のレベルを減衰（調整）する必要がある。一般的には、輝度信号の周波数帯域のうち、クロマサブキャリアの中心周波数ｆｓｃに対して、輝度信号のレベルを減衰（調整）する。しかし、クロマサブキャリアの中心周波数ｆｓｃは、伝送方式によって異なる。そこで、ドット妨害軽減回路（１３）は、クロマ信号（Ｃ）に基づいて第１伝送方式を検出し、輝度信号の周波数帯域のうち、第１伝送方式（ＮＴＳＣ、ＰＡＬ、ＳＥＣＡＭのいずれか）に適用されるクロマサブキャリアの中心周波数ｆｓｃに対して、輝度信号のレベルを減衰（調整）する。このように、ドット妨害軽減回路（１３）は、複数の伝送方式（ＮＴＳＣ、ＰＡＬ、ＳＥＣＡＭ）に対応してドット妨害を軽減することができる。  【選択図】図１
2005286694.tif 000002
【特許請求の範囲】
【請求項１】
コンポジットビデオ信号をクロマ信号と輝度信号とに分離する分離回路と、前記コンポジットビデオ信号は、規定された複数の伝送方式のうちの第１伝送方式で伝送され、
前記クロマ信号を色差信号に変換して出力し、前記クロマ信号に基づいて前記第１伝送方式を検出し、前記検出された第１伝送方式を表す伝送方式情報と前記クロマ信号に関連するクロマ関連情報とを出力するクロマ信号復調制御回路と、
制御信号に基づいて前記輝度信号のレベルを調整し、前記調整された輝度信号を出力する輝度信号制御回路と、
前記調整された輝度信号と前記色差信号とに基づいてＲＧＢ信号を生成して表示部に出力するＲＧＢマトリックス回路と、
前記伝送方式情報と前記クロマ関連情報とに基づいて前記輝度信号のレベルの調整量を決定し、前記調整量に基づいて前記制御信号を前記輝度信号制御回路に出力する制御部と
を具備するドット妨害軽減回路。
【請求項２】
請求項１に記載のドット妨害軽減回路において、
前記クロマ信号は、カラーバースト信号を含み、
前記クロマ関連情報は、前記カラーバースト信号の振幅値を含み、
前記制御部は、前記伝送方式情報と、前記カラーバースト信号の振幅値とに基づいて、前記調整量を決定し、
前記調整量に基づいて前記制御信号を前記輝度信号制御回路に出力する
ドット妨害軽減回路。
【請求項３】
請求項１に記載のドット妨害軽減回路において、
前記クロマ関連情報は、前記クロマ信号の振幅値と、前記色差信号の振幅値とを含み、
前記制御部は、前記伝送方式情報と、前記クロマ信号の振幅値と前記色差信号の振幅値との少なくとも１つとに基づいて、前記調整量を決定し、
前記調整量に基づいて前記制御信号を前記輝度信号制御回路に出力する
ドット妨害軽減回路。
【請求項４】
請求項３に記載のドット妨害軽減回路において、
前記制御部は、
前記色差信号の振幅値に基づいて、前記色差信号の高域周波数成分を検出し、
前記クロマ信号の振幅値が設定クロマ信号振幅値を超え、前記検出された高域周波数成分のピーク値が設定高域周波数成分ピーク値を超える場合、前記伝送方式情報と、前記クロマ信号の振幅値と、前記検出された高域周波数成分のピーク値とに基づいて、前記調整量を決定し、
前記調整量に基づいて前記制御信号を前記輝度信号制御回路に出力する
ドット妨害軽減回路。
【請求項５】
請求項３に記載のドット妨害軽減回路において、
前記制御部は、
前記色差信号の振幅値に基づいて、前記色差信号の高域周波数成分を検出し、
前記クロマ信号の振幅値が設定クロマ信号振幅値を超え、前記検出された高域周波数成分のピーク値が設定高域周波数成分ピーク値以下である場合、前記伝送方式情報と、前記クロマ信号の振幅値とに基づいて、前記調整量を決定し、
前記調整量に基づいて前記制御信号を前記輝度信号制御回路に出力する
ドット妨害軽減回路。
【請求項６】
請求項３に記載のドット妨害軽減回路において、
前記制御部は、
前記色差信号の振幅値に基づいて、前記色差信号の高域周波数成分を検出し、
前記クロマ信号の振幅値が設定クロマ信号振幅値以下であり、前記検出された高域周波数成分のピーク値が設定高域周波数成分ピーク値を超える場合、前記伝送方式情報と、前記検出された高域周波数成分のピーク値とに基づいて、前記調整量を決定し、
前記調整量に基づいて前記制御信号を前記輝度信号制御回路に出力する
ドット妨害軽減回路。
【請求項７】
請求項１に記載のドット妨害軽減回路において、
前記クロマ信号は、カラーバースト信号を含み、
前記クロマ関連情報は、第１クロマ関連情報を含み、
前記第１クロマ関連情報は、前記カラーバースト信号の振幅値を含み、
前記制御部は、前記伝送方式情報と、前記カラーバースト信号の振幅値とに基づいて、前記調整量として第１調整量を決定し、
前記第１調整量に基づいて前記制御信号を前記輝度信号制御回路に出力する
ドット妨害軽減回路。
【請求項８】
請求項７に記載のドット妨害軽減回路において、
前記クロマ関連情報は、更に、第２クロマ関連情報を含み、
前記第２クロマ関連情報は、前記クロマ信号の振幅値と、前記色差信号の振幅値とを含み、
前記制御部は、
前記色差信号の振幅値に基づいて、前記色差信号の高域周波数成分を検出し、
前記クロマ信号の振幅値が前記設定クロマ信号振幅値を超え、前記検出された高域周波数成分のピーク値が前記設定高域周波数成分ピーク値を超える場合、前記伝送方式情報と、前記クロマ信号の振幅値と、前記検出された高域周波数成分のピーク値とに基づいて、前記調整量として第２調整量を決定し、
前記第２調整量に基づいて前記制御信号を前記輝度信号制御回路に出力する
ドット妨害軽減回路。
【請求項９】
請求項７に記載のドット妨害軽減回路において、
前記クロマ関連情報は、更に、第２クロマ関連情報を含み、
前記第２クロマ関連情報は、前記クロマ信号の振幅値と、前記色差信号の振幅値とを含み、
前記制御部は、
前記色差信号の振幅値に基づいて、前記色差信号の高域周波数成分を検出し、
前記クロマ信号の振幅値が前記設定クロマ信号振幅値を超え、前記検出された高域周波数成分のピーク値が前記設定高域周波数成分ピーク値以下である場合、前記伝送方式情報と、前記クロマ信号の振幅値とに基づいて、前記調整量として第３調整量を決定し、
前記第３調整量に基づいて前記制御信号を前記輝度信号制御回路に出力する
ドット妨害軽減回路。
【請求項１０】
請求項７に記載のドット妨害軽減回路において、
前記クロマ関連情報は、更に、第２クロマ関連情報を含み、
前記第２クロマ関連情報は、前記クロマ信号の振幅値と、前記色差信号の振幅値とを含み、
前記制御部は、
前記色差信号の振幅値に基づいて、前記色差信号の高域周波数成分を検出し、
前記クロマ信号の振幅値が前記設定クロマ信号振幅値以下であり、前記検出された高域周波数成分のピーク値が前記設定高域周波数成分ピーク値を超える場合、前記伝送方式情報と、前記検出された高域周波数成分のピーク値とに基づいて、前記調整量として第４調整量を決定し、
前記第４調整量に基づいて前記制御信号を前記輝度信号制御回路に出力する
ドット妨害軽減回路。
【請求項１１】
請求項８〜１０のいずれか一項に記載のドット妨害軽減回路において、
前記制御部は、
前記クロマ信号の振幅値が前記設定クロマ信号振幅値以下であり、前記検出された高域周波数成分のピーク値が前記設定高域周波数成分ピーク値以下である場合、前記伝送方式情報と、前記カラーバースト信号の振幅値とに基づいて、前記第１調整量を決定し、
前記第１調整量に基づいて前記制御信号を前記輝度信号制御回路に出力する
ドット妨害軽減回路。
【請求項１２】
請求項１〜１１のいずれか一項に記載のドット妨害軽減回路において、
前記伝送方式情報が表す前記検出された第１伝送方式は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）である
ドット妨害軽減回路。
【請求項１３】
請求項１〜１１のいずれか一項に記載のドット妨害軽減回路において、
前記伝送方式情報が表す前記検出された第１伝送方式は、ＰＡＬ（Ｐｈａｓｅ  Ａｌｔｅｒｎａｔｉｏｎ  ｂｙ  Ｌｉｎｅ）である
ドット妨害軽減回路。
【請求項１４】
請求項１〜１１のいずれか一項に記載のドット妨害軽減回路において、
前記伝送方式情報が表す前記検出された第１伝送方式は、ＳＥＣＡＭ（ＳＥｑｕｅｎｔｉａｌ  Ｃｏｕｌｅｕｒ  Ａ  Ｍｅｍｏｉｒｅ）である
ドット妨害軽減回路。
【請求項１５】
ドット妨害軽減回路と、
前記ドット妨害軽減回路に接続された表示部とを具備し、
前記ドット妨害軽減回路は、
コンポジットビデオ信号をクロマ信号と輝度信号とに分離する分離回路と、前記コンポジットビデオ信号は、規定された複数の伝送方式のうちの第１伝送方式で伝送され、
前記クロマ信号を色差信号に変換して出力し、前記クロマ信号に基づいて前記第１伝送方式を検出し、前記検出された第１伝送方式を表す伝送方式情報と前記クロマ信号に関連するクロマ関連情報とを出力するクロマ信号復調制御回路と、
制御信号に基づいて前記輝度信号のレベルを調整し、前記調整された輝度信号を出力する輝度信号制御回路と、
前記調整された輝度信号と前記色差信号とに基づいてＲＧＢ信号を生成して前記表示部に出力するＲＧＢマトリックス回路と、
前記伝送方式情報と前記クロマ関連情報とに基づいて前記輝度信号のレベルの調整量を決定し、前記調整量に基づいて前記制御信号を前記輝度信号制御回路に出力する制御部と
を具備する表示装置。
【請求項１６】
請求項１５に記載の表示装置において、
前記クロマ信号は、カラーバースト信号を含み、
前記クロマ関連情報は、前記カラーバースト信号の振幅値を含み、
前記制御部は、前記伝送方式情報と、前記カラーバースト信号の振幅値とに基づいて、前記調整量を決定し、
前記調整量に基づいて前記制御信号を前記輝度信号制御回路に出力する
表示装置。
【請求項１７】
請求項１５に記載の表示装置において、
前記クロマ関連情報は、前記クロマ信号の振幅値と、前記色差信号の振幅値とを含み、
前記制御部は、前記伝送方式情報と、前記クロマ信号の振幅値と前記色差信号の振幅値との少なくとも１つとに基づいて、前記調整量を決定し、
前記調整量に基づいて前記制御信号を前記輝度信号制御回路に出力する
表示装置。
【請求項１８】
請求項１７に記載の表示装置において、
前記制御部は、
前記色差信号の振幅値に基づいて、前記色差信号の高域周波数成分を検出し、
前記クロマ信号の振幅値が設定クロマ信号振幅値を超え、前記検出された高域周波数成分のピーク値が設定高域周波数成分ピーク値を超える場合、前記伝送方式情報と、前記クロマ信号の振幅値と、前記検出された高域周波数成分のピーク値とに基づいて、前記調整量を決定し、
前記調整量に基づいて前記制御信号を前記輝度信号制御回路に出力する
表示装置。
【請求項１９】
請求項１７に記載の表示装置において、
前記制御部は、
前記色差信号の振幅値に基づいて、前記色差信号の高域周波数成分を検出し、
前記クロマ信号の振幅値が設定クロマ信号振幅値を超え、前記検出された高域周波数成分のピーク値が設定高域周波数成分ピーク値以下である場合、前記伝送方式情報と、前記クロマ信号の振幅値とに基づいて、前記調整量を決定し、
前記調整量に基づいて前記制御信号を前記輝度信号制御回路に出力する
表示装置。
【請求項２０】
請求項１７に記載の表示装置において、
前記制御部は、
前記色差信号の振幅値に基づいて、前記色差信号の高域周波数成分を検出し、
前記クロマ信号の振幅値が設定クロマ信号振幅値以下であり、前記検出された高域周波数成分のピーク値が設定高域周波数成分ピーク値を超える場合、前記伝送方式情報と、前記検出された高域周波数成分のピーク値とに基づいて、前記調整量を決定し、
前記調整量に基づいて前記制御信号を前記輝度信号制御回路に出力する
表示装置。
【請求項２１】
請求項１５に記載の表示装置において、
前記クロマ信号は、カラーバースト信号を含み、
前記クロマ関連情報は、第１クロマ関連情報を含み、
前記第１クロマ関連情報は、前記カラーバースト信号の振幅値を含み、
前記制御部は、前記伝送方式情報と、前記カラーバースト信号の振幅値とに基づいて、前記調整量として第１調整量を決定し、
前記第１調整量に基づいて前記制御信号を前記輝度信号制御回路に出力する
表示装置。
【請求項２２】
請求項２１に記載の表示装置において、
前記クロマ関連情報は、更に、第２クロマ関連情報を含み、
前記第２クロマ関連情報は、前記クロマ信号の振幅値と、前記色差信号の振幅値とを含み、
前記制御部は、
前記色差信号の振幅値に基づいて、前記色差信号の高域周波数成分を検出し、
前記クロマ信号の振幅値が前記設定クロマ信号振幅値を超え、前記検出された高域周波数成分のピーク値が前記設定高域周波数成分ピーク値を超える場合、前記伝送方式情報と、前記クロマ信号の振幅値と、前記検出された高域周波数成分のピーク値とに基づいて、前記調整量として第２調整量を決定し、
前記第２調整量に基づいて前記制御信号を前記輝度信号制御回路に出力する
表示装置。
【請求項２３】
請求項２１に記載の表示装置において、
前記クロマ関連情報は、更に、第２クロマ関連情報を含み、
前記第２クロマ関連情報は、前記クロマ信号の振幅値と、前記色差信号の振幅値とを含み、
前記制御部は、
前記色差信号の振幅値に基づいて、前記色差信号の高域周波数成分を検出し、
前記クロマ信号の振幅値が前記設定クロマ信号振幅値を超え、前記検出された高域周波数成分のピーク値が前記設定高域周波数成分ピーク値以下である場合、前記伝送方式情報と、前記クロマ信号の振幅値とに基づいて、前記調整量として第３調整量を決定し、
前記第３調整量に基づいて前記制御信号を前記輝度信号制御回路に出力する
表示装置。
【請求項２４】
請求項２１に記載の表示装置において、
前記クロマ関連情報は、更に、第２クロマ関連情報を含み、
前記第２クロマ関連情報は、前記クロマ信号の振幅値と、前記色差信号の振幅値とを含み、
前記制御部は、
前記色差信号の振幅値に基づいて、前記色差信号の高域周波数成分を検出し、
前記クロマ信号の振幅値が前記設定クロマ信号振幅値以下であり、前記検出された高域周波数成分のピーク値が前記設定高域周波数成分ピーク値を超える場合、前記伝送方式情報と、前記検出された高域周波数成分のピーク値とに基づいて、前記調整量として第４調整量を決定し、
前記第４調整量に基づいて前記制御信号を前記輝度信号制御回路に出力する
表示装置。
【請求項２５】
請求項２２〜２４のいずれか一項に記載の表示装置において、
前記制御部は、
前記クロマ信号の振幅値が前記設定クロマ信号振幅値以下であり、前記検出された高域周波数成分のピーク値が前記設定高域周波数成分ピーク値以下である場合、前記伝送方式情報と、前記カラーバースト信号の振幅値とに基づいて、前記第１調整量を決定し、
前記第１調整量に基づいて前記制御信号を前記輝度信号制御回路に出力する
表示装置。
【請求項２６】
請求項１５〜２５のいずれか一項に記載の表示装置において、
前記伝送方式情報が表す前記検出された第１伝送方式は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）である
表示装置。
【請求項２７】
請求項１５〜２５のいずれか一項に記載の表示装置において、
前記伝送方式情報が表す前記検出された第１伝送方式は、ＰＡＬ（Ｐｈａｓｅ  Ａｌｔｅｒｎａｔｉｏｎ  ｂｙ  Ｌｉｎｅ）である
表示装置。
【請求項２８】
請求項１５〜２５のいずれか一項に記載の表示装置において、
前記伝送方式情報が表す前記検出された第１伝送方式は、ＳＥＣＡＭ（ＳＥｑｕｅｎｔｉａｌ  Ｃｏｕｌｅｕｒ  Ａ  Ｍｅｍｏｉｒｅ）である
表示装置。
【発明の詳細な説明】
【技術分野】
【０００１】
本発明は、ドット妨害を軽減するドット妨害軽減回路、表示装置に関する。
【背景技術】
【０００２】
表示装置は、輝度信号／クロマ信号分離回路（以下、Ｙ／Ｃ分離回路）を具備する。表示装置には、コンポジットビデオ信号が伝送される。表示装置は、Ｙ／Ｃ分離回路により、コンポジットビデオ信号をクロマ信号Ｃと輝度信号Ｙとに分離する。表示装置は、更に、表示部を具備する。表示装置は、クロマ信号Ｃを色差信号ＣＢ−Ｙ、ＣＲ−Ｙに変換し、輝度信号Ｙと色差信号ＣＢ−Ｙ、ＣＲ−Ｙとに基づいてＲＧＢ信号を生成して表示部に出力する。ＲＧＢ信号は、画像信号Ｒ、Ｇ、Ｂを含む。画像信号ＲはＲ（赤）の色の濃さを示す信号である。画像信号ＧはＧ（緑）の色の濃さを示す信号である。画像信号ＢはＢ（青）の色の濃さを示す信号である。
【０００３】
コンポジットビデオ信号は、規定された伝送方式により伝送される。規定された伝送方式としては、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）が挙げられる。ＮＴＳＣ伝送方式では、Ｒ、Ｇ、Ｂの３原色の画像信号が、輝度信号Ｙと、色差信号ＣＢ−Ｙ、ＣＲ−Ｙとに変換され伝送される。このＮＴＳＣ伝送方式では、クロマサブキャリア周波数ｆｓｃ（クロマサブキャリアの中心周波数ｆｓｃ）のクロマサブキャリアの振幅が色差信号ＣＢ−Ｙ、ＣＲ−Ｙで直交変調され、クロマサブキャリア周波数ｆｓｃを有するクロマ信号Ｃが生成される。色差信号ＣＢ−Ｙ、ＣＲ−Ｙで直交変調されたクロマ信号Ｃは、受信側（表示装置）で直交復調される。ＮＴＳＣ伝送方式では、クロマ信号Ｃを輝度信号Ｙに周波数多重してＮＴＳＣ信号（コンポジットビデオ信号）として伝送（送信）する。ＮＴＳＣ伝送方式に適用されるクロマサブキャリア周波数（クロマサブキャリアの中心周波数）ｆｓｃは、３．５８ＭＨｚである。
【０００４】
Ｙ／Ｃ分離回路としては、くし型フィルタが例示される。コンポジットビデオ信号は、くし型フィルタにより、クロマ信号Ｃと輝度信号Ｙとに分離される。その輝度信号Ｙには、分離し切れなかったクロマ信号（残留クロマサブキャリア）が含まれる。残留クロマサブキャリアが原因によりドット妨害が生じる。ドット妨害が生じることにより画質が劣化する。
【０００５】
ドット妨害を軽減する技術が特許文献１に記載されている。特許文献１に記載された技術によれば、カラー復号映像信号（コンポジットビデオ信号）を輝度信号とクロマ信号とに分離する分離手段と、カラー復号映像信号（コンポジットビデオ信号）における隣接走査線間の非相関性を検出する検出手段と、検出手段からの非相関検出信号（隣接走査線間の非相関性を表す非相関検出値）に基づいて分離手段からの輝度信号におけるクロマ信号帯域成分を制限する制限手段とを備えたことを特徴としている。制限手段は、ＮＴＳＣ伝送方式に適用される３．５８ＭＨｚトラップ部を含む。３．５８ＭＨｚトラップ部は、非相関検出信号（非相関検出値）に基づいて、輝度信号の周波数帯域のうち、ＮＴＳＣ伝送方式に適用されるクロマサブキャリアの中心周波数ｆｓｃである３．５８ＭＨｚに対して、輝度信号のレベルを減衰（調整）する。
【０００６】
規定された伝送方式としては、ＮＴＳＣの他に、ＰＡＬ（Ｐｈａｓｅ  Ａｌｔｅｒｎａｔｉｏｎ  ｂｙ  Ｌｉｎｅ）が挙げられる。ＰＡＬ伝送方式に適用されるクロマサブキャリア周波数（クロマサブキャリアの中心周波数）ｆｓｃは、４．４３ＭＨｚである。特許文献１に記載された技術では、ＮＴＳＣ伝送方式に適用できるが、ＰＡＬ伝送方式に適用できない。特許文献１に記載された技術にＰＡＬ伝送方式を適用するためには、ＰＡＬ伝送方式に適用されるトラップ部（４．４３ＭＨｚトラップ部）に変更しなければならない。
【０００７】
【特許文献１】特開平１−１４３４８７号公報
【発明の開示】
【発明が解決しようとする課題】
【０００８】
本発明の課題は、複数の伝送方式に対応してドット妨害を軽減することができるドット妨害軽減回路、表示装置を提供することにある。
【０００９】
本発明の他の課題は、画質の劣化を防止することができるドット妨害軽減回路、表示装置を提供することにある。
【００１０】
本発明の更に他の課題は、画質の最適化を行うことができるドット妨害軽減回路、表示装置を提供することにある。
【課題を解決するための手段】
【００１１】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１２】
本発明の表示装置（３１、３２、３３）は、ドット妨害軽減回路（１３）と、ドット妨害軽減回路（１３）に接続された表示部（１０）とを具備する。ドット妨害軽減回路（１３）は、分離回路（１）と、クロマ信号復調制御回路（１１）と、輝度信号制御回路（１２）と、ＲＧＢマトリックス回路（９）と、制御部（６、１６、２６）とを具備する。分離回路（１）は、コンポジットビデオ信号（ＣＯＭ）をクロマ信号（Ｃ）と輝度信号（Ｙ）とに分離する。ここで、コンポジットビデオ信号（ＣＯＭ）は、規定された複数の伝送方式のうちの第１伝送方式で伝送されている。複数の伝送方式としては、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＰＡＬ（Ｐｈａｓｅ  Ａｌｔｅｒｎａｔｉｏｎ  ｂｙ  Ｌｉｎｅ）、ＳＥＣＡＭ（ＳＥｑｕｅｎｔｉａｌ  Ｃｏｕｌｅｕｒ  Ａ  Ｍｅｍｏｉｒｅ）が挙げられる。クロマ信号復調制御回路（１１）は、クロマ信号（Ｃ）を色差信号（ＣＢ−Ｙ、ＣＲ−Ｙ）に変換して出力し、クロマ信号（Ｃ）に基づいて第１伝送方式を検出し、検出された第１伝送方式を表す伝送方式情報（Ｓｙｓ）とクロマ信号（Ｃ）に関連するクロマ関連情報（ＣＶｓｂ、ＣＣ）とを出力する。輝度信号制御回路（１２）は、制御信号（ＣＲＬ）に基づいて輝度信号（Ｙ）のレベルを調整し、調整された輝度信号（Ｙ’’）を出力する。ＲＧＢマトリックス回路（９）は、調整された輝度信号（Ｙ’’）と色差信号（ＣＢ−Ｙ、ＣＲ−Ｙ）とに基づいてＲＧＢ信号（Ｒ、Ｇ、Ｂ）を生成して表示部（１０）に出力する。制御部（６、１６、２６）は、伝送方式情報（Ｓｙｓ）とクロマ関連情報（ＣＶｓｂ、ＣＣ）とに基づいて輝度信号（Ｙ）のレベルの調整量を決定し、調整量に基づいて制御信号（ＣＲＬ）を輝度信号制御回路（１２）に出力する。
輝度信号（Ｙ）には、分離し切れなかったクロマ信号（残留クロマサブキャリア）が含まれ、残留クロマサブキャリアが原因によりドット妨害が生じる。ドット妨害を軽減するために、輝度信号（Ｙ）のレベルを減衰（調整）する必要がある。一般的には、輝度信号の周波数帯域のうち、クロマサブキャリアの中心周波数（ｆｓｃ）に対して、輝度信号のレベルを減衰（調整）する。しかし、クロマサブキャリアの中心周波数（ｆｓｃ）は、伝送方式によって異なる。そこで、本発明の表示装置（３１、３２、３３）によれば、ドット妨害軽減回路（１３）は、クロマ信号（Ｃ）に基づいて第１伝送方式を検出し、輝度信号の周波数帯域のうち、第１伝送方式（ＮＴＳＣ、ＰＡＬ、ＳＥＣＡＭのいずれか）に適用されるクロマサブキャリアの中心周波数（ｆｓｃ）に対して、輝度信号のレベルを減衰（調整）する。このように、本発明の表示装置（３１、３２、３３）によれば、ドット妨害軽減回路（１３）は、複数の伝送方式（ＮＴＳＣ、ＰＡＬ、ＳＥＣＡＭ）に対応してドット妨害を軽減することができる。
【００１３】
本発明の表示装置（３１）において、クロマ信号（Ｃ）は、カラーバースト信号を含む。クロマ関連情報（ＣＶｓｂ）は、カラーバースト信号（Ｓｂ）の振幅値（Ｖｓｂ）を含む。制御部（６）は、伝送方式情報（Ｓｙｓ）と、カラーバースト信号（Ｓｂ）の振幅値（Ｖｓｂ）とに基づいて、調整量を決定する。制御部（６）は、調整量に基づいて制御信号（ＣＲＬ）を輝度信号制御回路（１２）に出力する。
例えば輝度信号（Ｙ）のレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の表示装置（３１）によれば、ドット妨害軽減回路（１３）は、例えば、カラーバースト信号（Ｓｂ）の振幅値（Ｖｓｂ）が大きくなるに従って輝度信号（Ｙ）のレベルの減衰量を大きくし、カラーバースト信号（Ｓｂ）の振幅値（Ｖｓｂ）が小さくなるに従って輝度信号（Ｙ）のレベルの減衰量を小さくする。このため、本発明の表示装置（３１）によれば、ドット妨害、オーバーシュート、リンギング、輪郭のボケの発生を最小限に抑制することができ、その結果、画質の劣化を防止することができる。
【００１４】
本発明の表示装置（３２）において、クロマ関連情報（ＣＣ）は、クロマ信号（Ｃ）の振幅値（Ｃｐ）と、色差信号（ＣＢ−Ｙ、ＣＲ−Ｙ）の振幅値（ＣｐＢ−Ｙ、ＣｐＲ−Ｙ）とを含む。制御部（１６）は、伝送方式情報（Ｓｙｓ）と、クロマ信号（Ｃ）の振幅値（Ｃｐ）と色差信号（ＣＢ−Ｙ、ＣＲ−Ｙ）の振幅値（ＣｐＢ−Ｙ、ＣｐＲ−Ｙ）との少なくとも１つとに基づいて、調整量を決定する。制御部（１６）は、調整量に基づいて制御信号（ＣＲＬ）を輝度信号制御回路（１２）に出力する。
例えば輝度信号（Ｙ）のレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の表示装置（３２）によれば、ドット妨害軽減回路（１３）は、例えば、クロマ信号（Ｃ）の振幅値（Ｃｐ）が大きくなるに従って輝度信号（Ｙ）のレベルの減衰量を大きくし、クロマ信号（Ｃ）の振幅値（Ｃｐ）が小さくなるに従って輝度信号（Ｙ）のレベルの減衰量を小さくする。このため、本発明の表示装置（３２）によれば、ドット妨害、オーバーシュート、リンギング、輪郭のボケの発生を最小限に抑制することができ、その結果、画質の劣化を防止することができる。
また、本発明の表示装置（３２）によれば、ドット妨害軽減回路（１３）は、例えば、色差信号（ＣＢ−Ｙ、ＣＲ−Ｙ）の振幅値（ＣｐＢ−Ｙ、ＣｐＲ−Ｙ）が大きくなるに従って輝度信号Ｙのレベルの減衰量を大きくし、色差信号（ＣＢ−Ｙ、ＣＲ−Ｙ）の振幅値（ＣｐＢ−Ｙ、ＣｐＲ−Ｙ）が小さくなるに従って輝度信号Ｙのレベルの減衰量を小さくする。このため、本発明の表示装置（３２）によれば、オーバーシュート、リンギング、輪郭のボケの発生を最小限に抑制することができ、その結果、画質の劣化を防止することができる。輝度信号Ｙのレベルの減衰量を決定するために、色差信号（ＣＢ−Ｙ、ＣＲ−Ｙ）の振幅値（ＣｐＢ−Ｙ、ＣｐＲ−Ｙ）として、後述する高域周波数成分ピーク値ｆを用いる。
【００１５】
本発明の表示装置（３２）において、制御部（１６）は、色差信号（ＣＢ−Ｙ、ＣＲ−Ｙ）の振幅値（ＣｐＢ−Ｙ、ＣｐＲ−Ｙ）に基づいて、色差信号（ＣＢ−Ｙ、ＣＲ−Ｙ）の高域周波数成分を検出する。制御部（１６）は、クロマ信号（Ｃ）の振幅値（Ｃｐ）が設定クロマ信号振幅値（Ｃｐｒｅｆ）を超え、検出された高域周波数成分のピーク値（ｆ）が設定高域周波数成分ピーク値（ｆｒｅｆ）を超える場合、伝送方式情報（Ｓｙｓ）と、クロマ信号（Ｃ）の振幅値（Ｃｐ）と、検出された高域周波数成分のピーク値（ｆ）とに基づいて、調整量を決定する。制御部（１６）は、調整量に基づいて制御信号（ＣＲＬ）を輝度信号制御回路（１２）に出力する。
本発明の表示装置（３２）によれば、ドット妨害軽減回路（１３）は、例えば、クロマ信号（Ｃ）の振幅値（Ｃｐ）｛差分クロマ信号振幅値（Ｃｐ−Ｃｐｒｅｆ）｝が大きくなるに従って輝度信号（Ｙ）のレベルの減衰量を大きくし、クロマ信号（Ｃ）の振幅値（Ｃｐ）｛差分クロマ信号振幅値（Ｃｐ−Ｃｐｒｅｆ）｝が小さくなるに従って輝度信号（Ｙ）のレベルの減衰量を小さくする。このため、本発明の表示装置（３２）によれば、ドット妨害、オーバーシュート、リンギング、輪郭のボケの発生を最小限に抑制することができ、その結果、画質の劣化を防止することができる。
また、本発明の表示装置（３２）によれば、ドット妨害軽減回路（１３）は、例えば、色差信号（ＣＢ−Ｙ、ＣＲ−Ｙ）の振幅の高域周波数成分ピーク値（ｆ）｛差分高域周波数成分（ｆ−ｆｒｅｆ）｝が大きくなるに従って輝度信号（Ｙ）のレベルの減衰量を大きくし、色差信号（ＣＢ−Ｙ、ＣＲ−Ｙ）の振幅の高域周波数成分ピーク値（ｆ）｛差分高域周波数成分（ｆ−ｆｒｅｆ）｝が小さくなるに従って輝度信号（Ｙ）のレベルの減衰量を小さくする。このため、本発明の表示装置（３２）によれば、ドット妨害、オーバーシュート、リンギング、輪郭のボケの発生を最小限に抑制することができ、その結果、画質の劣化を防止することができる。
また、本発明の表示装置（３２）によれば、ドット妨害軽減回路（１３）は、クロマ信号（Ｃ）の振幅値（Ｃｐ）、色差信号（ＣＢ−Ｙ、ＣＲ−Ｙ）の振幅の高域周波数成分ピーク値（ｆ）が特定範囲（Ｃｐｒｅｆ、ｆｒｅｆ）を超えたときに限り、上記の減衰量（調整量）を決定する。このため、本発明の表示装置（３２）によれば、画質の最適化を行うことができる。
【００１６】
本発明の表示装置（３２）において、制御部（１６）は、色差信号（ＣＢ−Ｙ、ＣＲ−Ｙ）の振幅値（ＣｐＢ−Ｙ、ＣｐＲ−Ｙ）に基づいて、色差信号（ＣＢ−Ｙ、ＣＲ−Ｙ）の高域周波数成分を検出する。制御部（１６）は、クロマ信号（Ｃ）の振幅値（Ｃｐ）が設定クロマ信号振幅値（Ｃｐｒｅｆ）を超え、検出された高域周波数成分のピーク値（ｆ）が設定高域周波数成分ピーク値（ｆｒｅｆ）以下である場合、伝送方式情報（Ｓｙｓ）と、クロマ信号（Ｃ）の振幅値（Ｃｐ）とに基づいて、調整量を決定する。制御部（１６）は、調整量に基づいて制御信号（ＣＲＬ）を輝度信号制御回路（１２）に出力する。
本発明の表示装置（３２）によれば、ドット妨害軽減回路（１３）は、例えば、クロマ信号（Ｃ）の振幅値（Ｃｐ）｛差分クロマ信号振幅値（Ｃｐ−Ｃｐｒｅｆ）｝が大きくなるに従って輝度信号（Ｙ）のレベルの減衰量を大きくし、クロマ信号（Ｃ）の振幅値（Ｃｐ）｛差分クロマ信号振幅値（Ｃｐ−Ｃｐｒｅｆ）｝が小さくなるに従って輝度信号（Ｙ）のレベルの減衰量を小さくする。このため、本発明の表示装置（３２）によれば、ドット妨害、オーバーシュート、リンギング、輪郭のボケの発生を最小限に抑制することができ、その結果、画質の劣化を防止することができる。
また、本発明の表示装置（３２）によれば、ドット妨害軽減回路（１３）は、クロマ信号（Ｃ）の振幅値（Ｃｐ）が特定範囲（Ｃｐｒｅｆ）を超えたときに限り、上記の減衰量（調整量）を決定する。このため、本発明の表示装置（３２）によれば、画質の最適化を行うことができる。
【００１７】
本発明の表示装置（３２）において、制御部（１６）は、色差信号（ＣＢ−Ｙ、ＣＲ−Ｙ）の振幅値（ＣｐＢ−Ｙ、ＣｐＲ−Ｙ）に基づいて、色差信号（ＣＢ−Ｙ、ＣＲ−Ｙ）の高域周波数成分を検出する。制御部（１６）は、クロマ信号（Ｃ）の振幅値（Ｃｐ）が設定クロマ信号振幅値（Ｃｐｒｅｆ）以下であり、検出された高域周波数成分のピーク値（ｆ）が設定高域周波数成分ピーク値（ｆｒｅｆ）を超える場合、伝送方式情報（Ｓｙｓ）と、検出された高域周波数成分のピーク値（ｆ）とに基づいて、調整量を決定する。制御部（１６）は、調整量に基づいて制御信号（ＣＲＬ）を輝度信号制御回路（１２）に出力する。
本発明の表示装置（３２）によれば、ドット妨害軽減回路（１３）は、例えば、色差信号（ＣＢ−Ｙ、ＣＲ−Ｙ）の振幅の高域周波数成分ピーク値（ｆ）｛差分高域周波数成分（ｆ−ｆｒｅｆ）｝が大きくなるに従って輝度信号（Ｙ）のレベルの減衰量を大きくし、色差信号（ＣＢ−Ｙ、ＣＲ−Ｙ）の振幅の高域周波数成分ピーク値（ｆ）｛差分高域周波数成分（ｆ−ｆｒｅｆ）｝が小さくなるに従って輝度信号（Ｙ）のレベルの減衰量を小さくする。このため、本発明の表示装置（３２）によれば、ドット妨害、オーバーシュート、リンギング、輪郭のボケの発生を最小限に抑制することができ、その結果、画質の劣化を防止することができる。
また、本発明の表示装置（３２）によれば、ドット妨害軽減回路（１３）は、色差信号（ＣＢ−Ｙ、ＣＲ−Ｙ）の振幅の高域周波数成分ピーク値（ｆ）が特定範囲（ｆｒｅｆ）を超えたときに限り、上記の減衰量（調整量）を決定する。このため、本発明の表示装置（３２）によれば、画質の最適化を行うことができる。
【００１８】
本発明の表示装置（３３）において、クロマ信号（Ｃ）は、カラーバースト信号を含む。クロマ関連情報（ＣＶｓｂ、ＣＣ）は、第１クロマ関連情報（ＣＶｓｂ）を含む。第１クロマ関連情報（ＣＶｓｂ）は、カラーバースト信号（Ｓｂ）の振幅値（Ｖｓｂ）を含む。制御部（２６）は、伝送方式情報（Ｓｙｓ）と、カラーバースト信号（Ｓｂ）の振幅値（Ｖｓｂ）とに基づいて、調整量として第１調整量を決定する。制御部（２６）は、第１調整量に基づいて制御信号（ＣＲＬ）を輝度信号制御回路（１２）に出力する。
例えば輝度信号（Ｙ）のレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の表示装置（３３）によれば、ドット妨害軽減回路（１３）は、例えば、カラーバースト信号（Ｓｂ）の振幅値（Ｖｓｂ）が大きくなるに従って輝度信号（Ｙ）のレベルの第１減衰量（第１調整量）を大きくし、カラーバースト信号（Ｓｂ）の振幅値（Ｖｓｂ）が小さくなるに従って輝度信号（Ｙ）のレベルの第１減衰量（第１調整量）を小さくする。このため、本発明の表示装置（３３）によれば、ドット妨害、オーバーシュート、リンギング、輪郭のボケの発生を最小限に抑制することができ、その結果、画質の劣化を防止することができる。
【００１９】
本発明の表示装置（３３）において、クロマ関連情報（ＣＶｓｂ、ＣＣ）は、更に、第２クロマ関連情報（ＣＣ）を含む。第２クロマ関連情報（ＣＣ）は、クロマ信号（Ｃ）の振幅値（Ｃｐ）と、色差信号（ＣＢ−Ｙ、ＣＲ−Ｙ）の振幅値（ＣｐＢ−Ｙ、ＣｐＲ−Ｙ）とを含む。制御部（２６）は、色差信号（ＣＢ−Ｙ、ＣＲ−Ｙ）の振幅値（ＣｐＢ−Ｙ、ＣｐＲ−Ｙ）に基づいて、色差信号（ＣＢ−Ｙ、ＣＲ−Ｙ）の高域周波数成分を検出する。制御部（２６）は、クロマ信号（Ｃ）の振幅値（Ｃｐ）が設定クロマ信号振幅値（Ｃｐｒｅｆ）を超え、検出された高域周波数成分のピーク値（ｆ）が設定高域周波数成分ピーク値（ｆｒｅｆ）を超える場合、伝送方式情報（Ｓｙｓ）と、クロマ信号（Ｃ）の振幅値（Ｃｐ）と、検出された高域周波数成分のピーク値（ｆ）とに基づいて、調整量として第２調整量を決定する。制御部（２６）は、第２調整量に基づいて制御信号（ＣＲＬ）を輝度信号制御回路（１２）に出力する。
本発明の表示装置（３３）によれば、ドット妨害軽減回路（１３）は、例えば、クロマ信号（Ｃ）の振幅値（Ｃｐ）｛差分クロマ信号振幅値（Ｃｐ−Ｃｐｒｅｆ）｝が大きくなるに従って輝度信号（Ｙ）のレベルの第２減衰量（第２調整量）を大きくし、クロマ信号（Ｃ）の振幅値（Ｃｐ）｛差分クロマ信号振幅値（Ｃｐ−Ｃｐｒｅｆ）｝が小さくなるに従って輝度信号（Ｙ）のレベルの第２減衰量（第２調整量）を小さくする。このため、本発明の表示装置（３３）によれば、ドット妨害、オーバーシュート、リンギング、輪郭のボケの発生を最小限に抑制することができ、その結果、画質の劣化を防止することができる。
また、本発明の表示装置（３３）によれば、ドット妨害軽減回路（１３）は、例えば、色差信号（ＣＢ−Ｙ、ＣＲ−Ｙ）の振幅の高域周波数成分ピーク値（ｆ）｛差分高域周波数成分（ｆ−ｆｒｅｆ）｝が大きくなるに従って輝度信号（Ｙ）のレベルの第２減衰量（第２調整量）を大きくし、色差信号（ＣＢ−Ｙ、ＣＲ−Ｙ）の振幅の高域周波数成分ピーク値（ｆ）｛差分高域周波数成分（ｆ−ｆｒｅｆ）｝が小さくなるに従って輝度信号（Ｙ）のレベルの第２減衰量（第２調整量）を小さくする。このため、本発明の表示装置（３３）によれば、ドット妨害、オーバーシュート、リンギング、輪郭のボケの発生を最小限に抑制することができ、その結果、画質の劣化を防止することができる。
また、本発明の表示装置（３３）によれば、ドット妨害軽減回路（１３）は、クロマ信号（Ｃ）の振幅値（Ｃｐ）、色差信号（ＣＢ−Ｙ、ＣＲ−Ｙ）の振幅の高域周波数成分ピーク値（ｆ）が特定範囲（Ｃｐｒｅｆ、ｆｒｅｆ）を超えたときに限り、上記の第２減衰量（第２調整量）を決定する。このため、本発明の表示装置（３３）によれば、画質の最適化を行うことができる。
【００２０】
本発明の表示装置（３３）において、クロマ関連情報（ＣＶｓｂ、ＣＣ）は、更に、第２クロマ関連情報（ＣＣ）を含む。第２クロマ関連情報（ＣＣ）は、クロマ信号（Ｃ）の振幅値（Ｃｐ）と、色差信号（ＣＢ−Ｙ、ＣＲ−Ｙ）の振幅値（ＣｐＢ−Ｙ、ＣｐＲ−Ｙ）とを含む。制御部（２６）は、色差信号（ＣＢ−Ｙ、ＣＲ−Ｙ）の振幅値（ＣｐＢ−Ｙ、ＣｐＲ−Ｙ）に基づいて、色差信号（ＣＢ−Ｙ、ＣＲ−Ｙ）の高域周波数成分を検出する。制御部（２６）は、クロマ信号（Ｃ）の振幅値（Ｃｐ）が設定クロマ信号振幅値（Ｃｐｒｅｆ）を超え、検出された高域周波数成分のピーク値（ｆ）が設定高域周波数成分ピーク値（ｆｒｅｆ）以下である場合、伝送方式情報（Ｓｙｓ）と、クロマ信号（Ｃ）の振幅値（Ｃｐ）とに基づいて、調整量として第３調整量を決定する。制御部（２６）は、第３調整量に基づいて制御信号（ＣＲＬ）を輝度信号制御回路（１２）に出力する。
本発明の表示装置（３３）によれば、ドット妨害軽減回路（１３）は、例えば、クロマ信号（Ｃ）の振幅値（Ｃｐ）｛差分クロマ信号振幅値（Ｃｐ−Ｃｐｒｅｆ）｝が大きくなるに従って輝度信号（Ｙ）のレベルの第３減衰量（第３調整量）を大きくし、クロマ信号（Ｃ）の振幅値（Ｃｐ）｛差分クロマ信号振幅値（Ｃｐ−Ｃｐｒｅｆ）｝が小さくなるに従って輝度信号（Ｙ）のレベルの第２減衰量（第２調整量）を小さくする。このため、本発明の表示装置（３３）によれば、ドット妨害、オーバーシュート、リンギング、輪郭のボケの発生を最小限に抑制することができ、その結果、画質の劣化を防止することができる。
また、本発明の表示装置（３３）によれば、ドット妨害軽減回路（１３）は、クロマ信号（Ｃ）の振幅値（Ｃｐ）が特定範囲（Ｃｐｒｅｆ）を超えたときに限り、上記の第３減衰量（第３調整量）を決定する。このため、本発明の表示装置（３３）によれば、画質の最適化を行うことができる。
【００２１】
本発明の表示装置（３３）において、クロマ関連情報（ＣＶｓｂ、ＣＣ）は、更に、第２クロマ関連情報（ＣＣ）を含む。第２クロマ関連情報（ＣＣ）は、クロマ信号（Ｃ）の振幅値（Ｃｐ）と、色差信号（ＣＢ−Ｙ、ＣＲ−Ｙ）の振幅値（ＣｐＢ−Ｙ、ＣｐＲ−Ｙ）とを含む。制御部（２６）は、色差信号（ＣＢ−Ｙ、ＣＲ−Ｙ）の振幅値（ＣｐＢ−Ｙ、ＣｐＲ−Ｙ）に基づいて、色差信号（ＣＢ−Ｙ、ＣＲ−Ｙ）の高域周波数成分を検出する。制御部（２６）は、クロマ信号（Ｃ）の振幅値（Ｃｐ）が設定クロマ信号振幅値（Ｃｐｒｅｆ）以下であり、検出された高域周波数成分のピーク値（ｆ）が設定高域周波数成分ピーク値（ｆｒｅｆ）を超える場合、伝送方式情報（Ｓｙｓ）と、検出された高域周波数成分のピーク値（ｆ）とに基づいて、調整量として第４調整量を決定する。制御部（２６）は、第４調整量に基づいて制御信号（ＣＲＬ）を輝度信号制御回路（１２）に出力する。
本発明の表示装置（３３）によれば、ドット妨害軽減回路（１３）は、例えば、色差信号（ＣＢ−Ｙ、ＣＲ−Ｙ）の振幅の高域周波数成分ピーク値（ｆ）｛差分高域周波数成分（ｆ−ｆｒｅｆ）｝が大きくなるに従って輝度信号（Ｙ）のレベルの第４減衰量（第４調整量）を大きくし、色差信号（ＣＢ−Ｙ、ＣＲ−Ｙ）の振幅の高域周波数成分ピーク値（ｆ）｛差分高域周波数成分（ｆ−ｆｒｅｆ）｝が小さくなるに従って輝度信号（Ｙ）のレベルの第４減衰量（第４調整量）を小さくする。このため、本発明の表示装置（３３）によれば、ドット妨害、オーバーシュート、リンギング、輪郭のボケの発生を最小限に抑制することができ、その結果、画質の劣化を防止することができる。
また、本発明の表示装置（３３）によれば、ドット妨害軽減回路（１３）は、色差信号（ＣＢ−Ｙ、ＣＲ−Ｙ）の振幅の高域周波数成分ピーク値（ｆ）が特定範囲（ｆｒｅｆ）を超えたときに限り、上記の第４減衰量（第４調整量）を決定する。このため、本発明の表示装置（３３）によれば、画質の最適化を行うことができる。
【００２２】
本発明の表示装置（３３）において、制御部（２６）は、クロマ信号（Ｃ）の振幅値（Ｃｐ）が設定クロマ信号振幅値（Ｃｐｒｅｆ）以下であり、検出された高域周波数成分のピーク値（ｆ）が設定高域周波数成分ピーク値（ｆｒｅｆ）以下である場合、伝送方式情報（Ｓｙｓ）と、カラーバースト信号（Ｓｂ）の振幅値（Ｖｓｂ）とに基づいて、第１調整量を決定する。制御部（２６）は、第１調整量に基づいて制御信号（ＣＲＬ）を輝度信号制御回路（１２）に出力する。
本発明の表示装置（３３）によれば、ドット妨害軽減回路（１３）は、クロマ信号（Ｃ）の振幅値（Ｃｐ）、色差信号（ＣＢ−Ｙ、ＣＲ−Ｙ）の振幅の高域周波数成分ピーク値（ｆ）が特定範囲内（Ｃｐｒｅｆ、ｆｒｅｆ以下）であるときに限り、上記の第１減衰量（第１調整量）を決定し、クロマ信号（Ｃ）の振幅値（Ｃｐ）、色差信号（ＣＢ−Ｙ、ＣＲ−Ｙ）の振幅の高域周波数成分ピーク値（ｆ）が特定範囲（Ｃｐｒｅｆ、ｆｒｅｆ）を超えた場合、上記の第２減衰量、第３減衰量、第４減衰量のいずれかを決定する。このため、本発明の表示装置（３３）によれば、画質の最適化を行うことができる。
【発明の効果】
【００２３】
本発明のドット妨害軽減回路、表示装置は、複数の伝送方式に対応してドット妨害を軽減することができる。
【００２４】
本発明のドット妨害軽減回路、表示装置は、画質の劣化を防止することができる。
【００２５】
本発明のドット妨害軽減回路、表示装置は、画質の最適化を行うことができる。
【発明を実施するための最良の形態】
【００２６】
添付図面を参照して、本発明による表示装置を実施するための最良の形態を以下に説明する。
【００２７】
（第１実施形態）
図１は、本発明の第１実施形態に係る表示装置３１の構成を示す。表示装置３１は、表示部１０と、ドット妨害軽減回路１３とを具備する。ドット妨害軽減回路１３は、輝度信号／クロマ信号分離回路（以下、Ｙ／Ｃ分離回路）１と、クロマ信号復調制御回路１１と、輝度信号制御回路１２と、ＲＧＢマトリックス回路９と、マイコン制御部６とを具備する。
【００２８】
Ｙ／Ｃ分離回路１には、コンポジットビデオ信号ＣＯＭが順次に伝送される。コンポジットビデオ信号ＣＯＭは、規定された複数の伝送方式のうちの第１伝送方式で伝送される。複数の伝送方式としては、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＰＡＬ（Ｐｈａｓｅ  Ａｌｔｅｒｎａｔｉｏｎ  ｂｙ  Ｌｉｎｅ）、ＳＥＣＡＭ（ＳＥｑｕｅｎｔｉａｌ  Ｃｏｕｌｅｕｒ  Ａ  Ｍｅｍｏｉｒｅ）が挙げられる。Ｙ／Ｃ分離回路１は、コンポジットビデオ信号ＣＯＭをクロマ信号Ｃと輝度信号Ｙとに分離する。
【００２９】
クロマ信号復調制御回路１１は、クロマ信号Ｃを色差信号ＣＢ−Ｙ、ＣＲ−Ｙに変換してＲＧＢマトリックス回路９に出力する。また、クロマ信号復調制御回路１１は、クロマ信号Ｃに基づいて第１伝送方式を検出し、検出された第１伝送方式を表す伝送方式情報Ｓｙｓとクロマ信号Ｃに関連するクロマ関連情報ＣＶｓｂとをマイコン制御部６に出力する。マイコン制御部６は、クロマ信号復調制御回路１１からの伝送方式情報Ｓｙｓとクロマ関連情報ＣＶｓｂとに基づいて輝度信号Ｙのレベルの減衰量（調整量）を決定し、減衰量に基づいて制御信号ＣＲＬを輝度信号制御回路１２に出力する。輝度信号制御回路１２は、マイコン制御部６からの制御信号ＣＲＬに基づいて輝度信号Ｙのレベルを減衰（調整）して輝度信号Ｙ’’をＲＧＢマトリックス回路９に出力する。ＲＧＢマトリックス回路９は、輝度信号制御回路１２からの輝度信号Ｙ’’とクロマ信号復調制御回路１１からの色差信号ＣＢ−Ｙ、ＣＲ−Ｙとに基づいてＲＧＢ信号を生成して表示部１０に出力する。ＲＧＢ信号は、画像信号Ｒ、Ｇ、Ｂを含む。画像信号ＲはＲ（赤）の色の濃さを示す信号である。画像信号ＧはＧ（緑）の色の濃さを示す信号である。画像信号ＢはＢ（青）の色の濃さを示す信号である。
【００３０】
輝度信号Ｙには、分離し切れなかったクロマ信号（残留クロマサブキャリア）が含まれ、残留クロマサブキャリアが原因によりドット妨害が生じる。ドット妨害を軽減するために、輝度信号Ｙのレベルを減衰（調整）する必要がある。一般的には、輝度信号の周波数帯域のうち、クロマサブキャリアの中心周波数ｆｓｃに対して、輝度信号のレベルを減衰（調整）する。しかし、クロマサブキャリアの中心周波数ｆｓｃは、伝送方式によって異なる。そこで、本発明の第１実施形態に係る表示装置３１によれば、ドット妨害軽減回路１３は、クロマ信号Ｃに基づいて第１伝送方式を検出し、輝度信号の周波数帯域のうち、第１伝送方式（ＮＴＳＣ、ＰＡＬ、ＳＥＣＡＭのいずれか）に適用されるクロマサブキャリアの中心周波数ｆｓｃに対して、輝度信号のレベルを減衰（調整）する。このように、本発明の第１実施形態に係る表示装置３１によれば、ドット妨害軽減回路１３は、複数の伝送方式（ＮＴＳＣ、ＰＡＬ、ＳＥＣＡＭ）に対応してドット妨害を軽減することができる。また、本発明の第１実施形態に係る表示装置３１によれば、伝送方式情報Ｓｙｓとクロマ関連情報ＣＶｓｂとにより、画質の劣化を防止することができる。
【００３１】
上記の効果が得られることについて、詳細に説明する。
【００３２】
まず、上記の伝送方式について説明する。
【００３３】
上記の第１伝送方式がＮＴＳＣ伝送方式である場合、ＮＴＳＣ伝送方式では、Ｒ、Ｇ、Ｂの３原色の画像信号が、輝度信号Ｙと、色差信号ＣＢ−Ｙ、ＣＲ−Ｙとに変換され伝送される。このＮＴＳＣ伝送方式では、クロマサブキャリア周波数ｆｓｃ（クロマサブキャリアの中心周波数ｆｓｃ）のクロマサブキャリアの振幅が色差信号ＣＢ−Ｙ、ＣＲ−Ｙで直交変調され、クロマサブキャリア周波数ｆｓｃを有するクロマ信号Ｃが生成される。ＮＴＳＣ伝送方式に適用されるクロマサブキャリア周波数（クロマサブキャリアの中心周波数）ｆｓｃは、３．５８ＭＨｚである。
色差信号ＣＢ−Ｙ、ＣＲ−Ｙで直交変調されたクロマ信号Ｃは、受信側（本発明の表示装置）で直交復調される。受信側（表示装置）でクロマ信号Ｃを直交復調するためにはクロマサブキャリア周波数ｆｓｃのクロマサブキャリアの同期をとる必要がある。ＮＴＳＣ伝送方式では、クロマ信号Ｃを輝度信号Ｙに周波数多重し、走査線の水平帰線期間に同期信号Ｓｙｎとカラーバースト信号Ｓｂとを時分割多重して、ＮＴＳＣ信号（コンポジットビデオ信号ＣＯＭ）として伝送（送信）する。同期信号Ｓｙｎは、水平走査線の基準に用いられる。カラーバースト信号Ｓｂは、クロマサブキャリアの基準位相及び基準振幅として用いられ、クロマサブキャリア周波数ｆｓｃを有する。
【００３４】
図２は、ＮＴＳＣ信号と輝度信号Ｙとクロマ信号Ｃとの関係を示す。ＮＴＳＣ信号における水平走査期間１０１（図２のポイントａ−ｇ）は、上記の水平帰線期間１０２（図２のポイントａ−ｆ）と、映像期間１０３（図２のポイントｆ−ｇ）とを含む。映像期間１０３は、水平方向に１ライン（水平走査線）分走査される期間である。１ラインは水平方向に走査される画素に対応する。１ラインの画素は、左端の画素を基準画素、右端の画素を最終画素とする、左端から右端に順に並べられた画素である。水平帰線期間１０２は、水平方向に走査された１ラインの最終画素から、次の１ラインの基準画素に戻される（帰線される）期間である。
ＮＴＳＣ信号における水平帰線期間１０２は、第１期間１０４（図２のポイントａ−ｂ）、第２期間１０５（図２のポイントｂ−ｃ）、第３期間１０６（図２のポイントｃ−ｄ）、第４期間１０７（図２のポイントｄ−ｅ）、第５期間１０８（図２のポイントｅ−ｆ）を含む。同期信号Ｓｙｎは、ＮＴＳＣ信号における第２期間１０５に含まれ、受信側（表示装置）でＮＴＳＣ信号を分離した後の輝度信号Ｙにおける第２期間１０５に含まれる。ＮＴＳＣ信号における第２期間１０５に含まれる同期信号Ｓｙｎにより、水平方向の走査は、１ラインの最終画素から、次の１ラインの基準画素に戻される（帰線される）。カラーバースト信号Ｓｂは、ＮＴＳＣ信号における第４期間１０７に含まれ、受信側（表示装置）でＮＴＳＣ信号を分離した後のクロマ信号Ｃにおける第４期間１０７に含まれる。カラーバースト信号Ｓｂ（第４期間１０７）は、同期信号Ｓｙｎ（第２期間１０５）に対して、ＮＴＳＣ伝送方式に従った所定の期間である第３期間１０６だけ遅れている。ＮＴＳＣ信号における所定の期間（第３期間１０６）は、同期信号Ｓｙｎに対するカラーバースト信号Ｓｂの位置を表し、同期信号Ｓｙｎは、カラーバースト信号Ｓｂの位置の基準に用いられる。ＮＴＳＣ信号における第５期間１０８の後は映像期間１０３であり、ＮＴＳＣ信号を分離した後のクロマ信号Ｃにおける映像期間１０３には、クロマ信号Ｃの振幅Ｃｐが含まれる。上記の画像信号Ｒ、Ｇ、Ｂは、映像期間１０３により表示される。
【００３５】
上記の第１伝送方式がＰＡＬ伝送方式である場合、ＰＡＬ伝送方式では、Ｒ、Ｇ、Ｂの３原色の画像信号が、輝度信号Ｙと、色差信号ＣＢ−Ｙ、ＣＲ−Ｙとに変換され伝送される。ＰＡＬ伝送方式では、伝送系の非直線性に対してＮＴＳＣ伝送方式よりも画質劣化が少なくなるようにＮＴＳＣ伝送方式を変形したものである。このＰＡＬ伝送方式では、クロマサブキャリア周波数ｆｓｃ（クロマサブキャリアの中心周波数ｆｓｃ）のクロマサブキャリアの振幅が色差信号ＣＢ−Ｙ、ＣＲ−Ｙで直交変調され、クロマサブキャリア周波数ｆｓｃを有するクロマ信号Ｃが生成される。ＰＡＬ伝送方式に適用されるクロマサブキャリア周波数（クロマサブキャリアの中心周波数）ｆｓｃは、４．４３ＭＨｚである。色差信号ＣＲ−Ｙのクロマサブキャリアの位相は、水平走査線毎に１８０度反転する。また、色差信号ＣＢ−Ｙ、ＣＲ−Ｙのバースト位相は、＋１３５度と−１３５度（２２５度）に水平走査線毎に切り換わる。
色差信号ＣＢ−Ｙ、ＣＲ−Ｙで直交変調されたクロマ信号Ｃは、受信側（本発明の表示装置）で直交復調される。受信側（表示装置）でクロマ信号Ｃを直交復調するためには、クロマサブキャリア周波数ｆｓｃのクロマサブキャリアにより搬送されるバースト信号Ｓｂとクロマサブキャリア周波数ｆｓｃのクロマサブキャリアの同期をとる必要がある。ＰＡＬ伝送方式では、クロマ信号Ｃを輝度信号Ｙに周波数多重し、走査線の水平帰線期間に同期信号Ｓｙｎとバースト信号Ｓｂとを時分割多重して、ＰＡＬ信号（コンポジットビデオ信号ＣＯＭ）として伝送（送信）する。同期信号Ｓｙｎは、水平走査線の基準に用いられる。バースト信号Ｓｂは、クロマサブキャリアの基準位相及び基準振幅として用いられ、クロマサブキャリア周波数ｆｓｃを有する。
【００３６】
図３は、ＰＡＬ信号と輝度信号Ｙとクロマ信号Ｃとの関係を示す。ＰＡＬ信号における水平走査期間２０１（図３のポイントａ−ｇ）は、上記の水平帰線期間２０２（図３のポイントａ−ｆ）と、映像期間２０３（図３のポイントｆ−ｇ）とを含む。映像期間２０３は、水平方向に１ライン（水平走査線）分走査される期間である。１ラインは水平方向に走査される画素に対応する。１ラインの画素は、左端の画素を基準画素、右端の画素を最終画素とする、左端から右端に順に並べられた画素である。水平帰線期間２０２は、水平方向に走査された１ラインの最終画素から、次の１ラインの基準画素に戻される（帰線される）期間である。
ＰＡＬ信号における水平走査期間２０１は、第１期間２０４（図３のポイントａ−ｂ）、第２期間２０５（図３のポイントｂ−ｃ）、第３期間２０６（図３のポイントｃ−ｄ）、第４期間２０７（図３のポイントｄ−ｅ）、第５期間２０８（図３のポイントｅ−ｆ）を含む。同期信号Ｓｙｎは、ＰＡＬ信号における第２期間２０５に含まれ、受信側（表示装置）でＰＡＬ信号を分離した後の輝度信号Ｙにおける第２期間２０５に含まれる。ＰＡＬ信号における第２期間２０５に含まれる同期信号Ｓｙｎにより、水平方向の走査は、１ラインの最終画素から、次の１ラインの基準画素に戻される（帰線される）。カラーバースト信号Ｓｂは、ＰＡＬ信号における第４期間２０７に含まれ、受信側（表示装置）でＰＡＬ信号を分離した後のクロマ信号Ｃにおける第４期間２０７に含まれる。カラーバースト信号Ｓｂ（第４期間２０７）は、同期信号Ｓｙｎ（第２期間２０５）に対して、ＰＡＬ伝送方式に従った所定の期間である第３期間２０６だけ遅れている。ＰＡＬ信号における所定の期間（第３期間２０６）は、同期信号Ｓｙｎに対するカラーバースト信号Ｓｂの位置を表し、同期信号Ｓｙｎは、カラーバースト信号Ｓｂの位置の基準に用いられる。ＰＡＬ信号における第５期間２０８の後は映像期間２０３であり、ＰＡＬ信号を分離した後のクロマ信号Ｃにおける映像期間２０３には、クロマ信号Ｃの振幅Ｃｐが含まれる。上記の画像信号Ｒ、Ｇ、Ｂは、映像期間２０３により表示される。
【００３７】
上記の第１伝送方式がＳＥＣＡＭ伝送方式である場合、ＳＥＣＡＭ伝送方式では、Ｒ、Ｇ、Ｂの３原色の画像信号が、輝度信号Ｙと、色差信号ＣＢ−Ｙ、ＣＲ−Ｙとに変換され伝送される。このＳＥＣＡＭ伝送方式では、クロマサブキャリア周波数ｆｓｃ（クロマサブキャリアの中心周波数ｆｓｃ）のクロマサブキャリアの振幅が色差信号ＣＢ−Ｙ、ＣＲ−ＹでそれぞれＦＭ変調され、クロマサブキャリア周波数ｆｓｃを有するクロマ信号Ｃが生成される。ＳＥＣＡＭ伝送方式では、色合いに応じてクロマサブキャリア周波数ｆｓｃが異なり、色差信号ＣＢ−Ｙ、ＣＲ−Ｙの変調周波数が異なる場合がある。この場合、ＳＥＣＡＭ伝送方式に適用されるクロマサブキャリア周波数（クロマサブキャリアの中心周波数）ｆｓｃは、４．１８ＭＨｚと４．４０ＭＨｚである。
色差信号ＣＢ−Ｙ、ＣＲ−ＹでＦＭ変調されたクロマ信号Ｃは、受信側（本発明の表示装置）でＦＭ復調される。受信側（表示装置）でクロマ信号ＣをＦＭ復調するためには、リファレンスバーストの周波数情報を検出し、ＦＭ復調のための基準周波数を定めなければならない。ＳＥＣＡＭ伝送方式では、クロマ信号Ｃを輝度信号Ｙに周波数多重し、走査線の水平帰線期間に同期信号Ｓｙｎとリファレンスバースト信号Ｓｂとを時分割多重して、ＳＥＣＡＭ信号（コンポジットビデオ信号ＣＯＭ）として伝送（送信）する。同期信号Ｓｙｎは、水平走査線の基準に用いられる。リファレンスバースト信号Ｓｂは、クロマサブキャリアを復調するための基準周波数として用いられ、クロマサブキャリア周波数ｆｓｃを有する。
【００３８】
図４は、ＳＥＣＡＭ信号と輝度信号Ｙとクロマ信号Ｃとの関係を示す。ＳＥＣＡＭ信号における水平走査期間３０１（図４のポイントａ−ｇ）は、上記の水平帰線期間３０２（図４のポイントａ−ｆ）と、映像期間３０３（図４のポイントｆ−ｇ）とを含む。映像期間３０３は、水平方向に１ライン（水平走査線）分走査される期間である。１ラインは水平方向に走査される画素に対応する。１ラインの画素は、左端の画素を基準画素、右端の画素を最終画素とする、左端から右端に順に並べられた画素である。水平帰線期間３０２は、水平方向に走査された１ラインの最終画素から、次の１ラインの基準画素に戻される（帰線される）期間である。
ＳＥＣＡＭ信号における水平走査期間３０１は、第１期間３０４（図４のポイントａ−ｂ）、第２期間３０５（図４のポイントｂ−ｃ）、第３期間３０６（図４のポイントｃ−ｄ）、第４期間３０７（図４のポイントｄ−ｅ）、第５期間３０８（図４のポイントｅ−ｆ）を含む。同期信号Ｓｙｎは、ＳＥＣＡＭ信号における第２期間３０５に含まれ、受信側（表示装置）でＳＥＣＡＭ信号を分離した後の輝度信号Ｙにおける第２期間３０５に含まれる。ＳＥＣＡＭ信号における第２期間３０５に含まれる同期信号Ｓｙｎにより、水平方向の走査は、１ラインの最終画素から、次の１ラインの基準画素に戻される（帰線される）。リファレンスバースト信号Ｓｂは、ＳＥＣＡＭ信号における第４期間３０７に含まれ、受信側（表示装置）でＳＥＣＡＭ信号を分離した後のクロマ信号Ｃにおける第４期間３０７に含まれる。リファレンスバースト信号Ｓｂ（第４期間３０７）は、同期信号Ｓｙｎ（第２期間３０５）に対して、ＳＥＣＡＭ伝送方式に従った所定の期間である第３期間３０６だけ遅れている。ＳＥＣＡＭ信号における所定の期間（第３期間３０６）は、同期信号Ｓｙｎに対するリファレンスバースト信号Ｓｂの位置を表し、同期信号Ｓｙｎは、リファレンスバースト信号Ｓｂの位置の基準に用いられる。ＳＥＣＡＭ信号における第５期間３０８の後は映像期間３０３であり、ＳＥＣＡＭ信号を分離した後のクロマ信号Ｃにおける映像期間３０３には、クロマ信号Ｃの振幅Ｃｐが含まれる。上記の画像信号Ｒ、Ｇ、Ｂは、映像期間３０３により表示される。
【００３９】
次に、ドット妨害軽減回路１３の構成について図１を用いて説明する。
【００４０】
クロマ信号復調制御回路１１は、オートマティッククロマコントロール回路（以下、ＡＣＣ回路）２、クロマ増幅回路３、ＡＣＣ検出回路４、クロマ復調回路５を含む。ＡＣＣ回路２は、Ｙ／Ｃ分離回路１とクロマ増幅回路３とに接続されている。クロマ増幅回路３は、ＡＣＣ検出回路４とクロマ復調回路５とに接続されている。ＡＣＣ検出回路４は、ＡＣＣ回路２とマイコン制御部６とに接続されている。クロマ復調回路５は、Ｙ／Ｃ分離回路１とＲＧＢマトリックス回路９とマイコン制御部６とに接続されている。また、クロマ復調回路５の動作の基準となる基準クロックを生成する周波数可変型発振器（図示しない）（以下、発振器）と、前記発振器と入力されるカラーバースト信号Ｓｂの位相の同調をとるための同調回路（図示しない）とを内蔵する。輝度信号制御回路１２は、輝度信号ｆｓｃトラップ回路７、輝度信号処理回路８を含む。輝度信号ｆｓｃトラップ回路７は、Ｙ／Ｃ分離回路１と輝度信号処理回路８とマイコン制御部６とに接続されている。輝度信号処理回路８は、ＲＧＢマトリックス回路９に接続されている。
【００４１】
Ｙ／Ｃ分離回路１は、くし型フィルタを有する。Ｙ／Ｃ分離回路１は、くし型フィルタにより、コンポジットビデオ信号ＣＯＭをクロマ信号Ｃと輝度信号Ｙとに分離する。Ｙ／Ｃ分離回路１は、クロマ信号ＣをＡＣＣ回路２に出力し、輝度信号Ｙを輝度信号ｆｓｃトラップ回路７に出力する。Ｙ／Ｃ分離回路１は、くし型フィルタに代えて、トラップ及びバンドパスフィルタを有する場合がある。図５は、Ｙ／Ｃ分離回路１のトラップ及びバンドパスフィルタの構成を示す。トラップ及びバンドパスフィルタは、コンポジットビデオ信号ＣＯＭから輝度信号Ｙを抽出するトラップフィルタ１Ａと、コンポジットビデオ信号ＣＯＭからクロマ信号Ｃを抽出するバンドパスフィルタ１Ｂとを含む。
【００４２】
Ｙ／Ｃ分離回路１により分離されたクロマ信号Ｃは、水平帰線期間、映像期間の順にＡＣＣ回路２に入力される。ＡＣＣ回路２は、Ｙ／Ｃ分離回路１により分離されたクロマ信号Ｃをクロマ増幅回路３に出力する。クロマ増幅回路３は、ＡＣＣ回路２からのクロマ信号Ｃを増幅し、クロマ信号Ｃ’をＡＣＣ検出回路４とクロマ復調回路５とに出力する。ＡＣＣ検出回路４は、クロマ増幅回路３からのクロマ信号Ｃ’における水平帰線期間に含まれるカラーバースト信号Ｓｂを検出し、カラーバースト信号Ｓｂの振幅値Ｖｓｂに対応するフィードバック電圧ＶｆをＡＣＣ回路２に出力する。ＡＣＣ回路２には、クロマ信号Ｃにおける水平帰線期間に含まれるカラーバースト信号Ｓｂが一定の振幅で出力されるように、ＡＣＣ検出回路４によりフィードバックがかけられる。また、ＡＣＣ検出回路４は、上記のクロマ関連情報ＣＶｓｂをマイコン制御部６に出力する。クロマ関連情報ＣＶｓｂは、カラーバースト信号Ｓｂの振幅値Ｖｓｂに対応するフィードバック電圧（フィードバック電圧値）Ｖｆを含む。
【００４３】
図６は、カラーバースト信号Ｓｂの振幅値Ｖｓｂとフィードバック電圧（フィードバック電圧値）Ｖｆとの関係を示す。ＡＣＣ検出回路４は、カラーバースト信号Ｓｂの振幅値Ｖｓｂが基準値Ｖｓｂｒｅｆ以下である場合（微弱信号領域ＡＲ１内である場合）、フィードバック電圧Ｖｆｍｉｎを出力する。ＡＣＣ検出回路４は、カラーバースト信号Ｓｂの振幅値Ｖｓｂが基準値Ｖｓｂｒｅｆを超える場合（通常信号領域ＡＲ２内である場合）、フィードバック電圧Ｖｆｍｉｎよりも高いフィードバック電圧Ｖｆを出力する。通常信号領域ＡＲ２において、フィードバック電圧Ｖｆは、カラーバースト信号Ｓｂの振幅値Ｖｓｂと比例関係にあり、また、信号伝送路や記録機器（ＶＴＲ）における周波数特性の変化にともなうカラーバースト信号Ｓｂの振幅変化とも比例関係にある。
【００４４】
クロマ復調回路５は、クロマ増幅回路３からのクロマ信号Ｃ’を入力する。クロマ復調回路５は、クロマ増幅回路３からのクロマ信号Ｃ’における第４期間に含まれるカラーバースト信号Ｓｂを検出する。クロマ復調回路５は、クロマ復調回路５内の発振器が生成する基準クロックとカラーバースト信号Ｓｂの同調をとり、発振器の周波数をカウントすることで第１伝送方式を検出し、検出された第１伝送方式を表す伝送方式情報Ｓｙｓをマイコン制御部６に出力する。また、クロマ復調回路５は、クロマ信号Ｃ’を色差信号ＣＢ−Ｙ、ＣＲ−Ｙに変換してＲＧＢマトリックス回路９に出力する。
【００４５】
マイコン制御部６は、ＡＣＣ検出回路４からのクロマ関連情報ＣＶｓｂ（カラーバースト信号Ｓｂの振幅値Ｖｓｂに対応するフィードバック電圧値Ｖｆ）を入力する。マイコン制御部６は、クロマ復調回路５からの伝送方式情報Ｓｙｓを入力する。マイコン制御部６は、伝送方式情報Ｓｙｓとクロマ関連情報ＣＶｓｂ｛フィードバック電圧値Ｖｆ（カラーバースト信号Ｓｂの振幅値Ｖｓｂ）｝とに基づいて、輝度信号Ｙのレベルの減衰量（調整量）を決定する。マイコン制御部１６は、決定した減衰量に基づいて、制御信号ＣＲＬを輝度信号ｆｓｃトラップ回路７に出力する。
【００４６】
図７は、本発明の第１実施形態に係る表示装置３１のドット妨害軽減回路１３のマイコン制御部６の構成を示す。マイコン制御部６は、マイクロコンピュータであり、減衰特性が格納されたカラーバースト信号用制御メモリ６０を備えている。カラーバースト信号用制御メモリ６０は、ＮＴＳＣカラーバースト信号用制御テーブル６１、ＰＡＬカラーバースト信号用制御テーブル６２、ＳＥＣＡＭカラーバースト信号用制御テーブル６３を含む。
【００４７】
図８に示されるように、ＮＴＳＣカラーバースト信号用制御テーブル６１には、輝度信号Ｙの周波数帯域と、ＮＴＳＣ伝送方式に適用されるクロマサブキャリアの中心周波数ｆｓｃである３．５８ＭＨｚと、フィードバック電圧値Ｖｆ（カラーバースト信号Ｓｂの振幅値Ｖｓｂ）と、輝度信号Ｙの３．５８ＭＨｚを中心とするレベルの減衰量とを対応付ける減衰特性が格納されている。マイコン制御部６は、伝送方式情報ＳｙｓがＮＴＳＣ伝送方式を表す場合、ＮＴＳＣカラーバースト信号用制御テーブル６１を参照して、輝度信号Ｙの周波数帯域のうち、３．５８ＭＨｚに対して、カラーバースト信号Ｓｂの振幅値Ｖｓｂ（フィードバック電圧Ｖｆ）に対応する輝度信号Ｙのレベルの減衰量（調整量）を決定する。マイコン制御部６により決定される減衰量は、カラーバースト信号Ｓｂの振幅値Ｖｓｂ（フィードバック電圧値Ｖｆ）が大きくなるに従って大きくなり、カラーバースト信号Ｓｂの振幅値Ｖｓｂ（フィードバック電圧値Ｖｆ）が小さくなるに従って小さくなる。
【００４８】
図９に示されるように、ＰＡＬカラーバースト信号用制御テーブル６２には、輝度信号Ｙの周波数帯域と、ＰＡＬ伝送方式に適用されるクロマサブキャリアの中心周波数ｆｓｃである４．４３ＭＨｚと、フィードバック電圧値Ｖｆ（カラーバースト信号Ｓｂの振幅値Ｖｓｂ）と、輝度信号Ｙのレベルの減衰量とを対応付ける減衰特性が格納されている。マイコン制御部６は、伝送方式情報ＳｙｓがＰＡＬ伝送方式を表す場合、ＰＡＬカラーバースト信号用制御テーブル６２を参照して、輝度信号Ｙの周波数帯域のうち、４．４３ＭＨｚに対して、カラーバースト信号Ｓｂの振幅値Ｖｓｂ（フィードバック電圧Ｖｆ）に対応する輝度信号Ｙのレベルの減衰量（調整量）を決定する。マイコン制御部６により決定される減衰量は、カラーバースト信号Ｓｂの振幅値Ｖｓｂ（フィードバック電圧値Ｖｆ）が大きくなるに従って大きくなり、カラーバースト信号Ｓｂの振幅値Ｖｓｂ（フィードバック電圧値Ｖｆ）が小さくなるに従って小さくなる。
【００４９】
図１０に示されるように、ＳＥＣＡＭカラーバースト信号用制御テーブル６３には、輝度信号Ｙの周波数帯域と、ＳＥＣＡＭ伝送方式に適用されるクロマサブキャリアの中心周波数ｆｓｃである４．１８ＭＨｚ、４．４０ＭＨｚと、フィードバック電圧値Ｖｆ（カラーバースト信号Ｓｂの振幅値Ｖｓｂ）と、輝度信号Ｙのレベルの減衰量とを対応付ける減衰特性（双峰特性）が格納されている。ＳＥＣＡＭ伝送方式では、色合いに応じてクロマサブキャリア周波数ｆｓｃが異なり、色差信号ＣＢ−Ｙ、ＣＲ−Ｙの変調周波数が異なる。このため、ＳＥＣＡＭ伝送方式において、画質を向上させるために、双峰特性を考慮して輝度信号Ｙのレベルの減衰量を決定することが好ましい。マイコン制御部６は、伝送方式情報ＳｙｓがＳＥＣＡＭ伝送方式を表す場合、ＳＥＣＡＭカラーバースト信号用制御テーブル６３を参照して、輝度信号Ｙの周波数帯域のうち、４．１８ＭＨｚ、４．４０ＭＨｚに対して、カラーバースト信号Ｓｂの振幅値Ｖｓｂ（フィードバック電圧Ｖｆ）に対応する輝度信号Ｙのレベルの減衰量（調整量）を決定する。マイコン制御部６により決定される減衰量は、カラーバースト信号Ｓｂの振幅値Ｖｓｂ（フィードバック電圧値Ｖｆ）が大きくなるに従って大きくなり、カラーバースト信号Ｓｂの振幅値Ｖｓｂ（フィードバック電圧値Ｖｆ）が小さくなるに従って小さくなる。
【００５０】
Ｙ／Ｃ分離回路１により分離された輝度信号Ｙは、水平帰線期間、映像期間の順に輝度信号ｆｓｃトラップ回路７に入力される。輝度信号ｆｓｃトラップ回路７は、マイコン制御部６からの制御信号ＣＲＬに基づいて輝度信号Ｙのレベルを減衰（調整）して輝度信号Ｙ’を輝度信号処理回路８に出力する。輝度信号処理回路８は、輝度信号Ｙ’における黒レベル補正、振幅の増減、シャープネス補正を行って輝度信号Ｙ’’をＲＧＢマトリックス回路９に出力する。
【００５１】
ＲＧＢマトリックス回路９は、輝度信号制御回路１２からの輝度信号Ｙ’’とクロマ信号復調制御回路１１からの色差信号ＣＢ−Ｙ、ＣＲ−Ｙとに基づいてＲＧＢ信号（画像信号Ｒ、Ｇ、Ｂ）を生成して表示部１０に出力する。
【００５２】
図１１は、本発明の第１実施形態に係る表示装置３１におけるドット妨害軽減回路１３のマイコン制御部６の動作を示すフローチャートである。
【００５３】
マイコン制御部６は、ＡＣＣ検出回路４からのクロマ関連情報ＣＶｓｂ（カラーバースト信号Ｓｂの振幅値Ｖｓｂに対応するフィードバック電圧値Ｖｆ）を入力する。マイコン制御部６は、クロマ復調回路５からの伝送方式情報Ｓｙｓを入力する（ステップＳ１１）。
【００５４】
マイコン制御部６は、伝送方式情報Ｓｙｓが第１伝送方式を表す場合、カラーバースト信号用制御メモリ６０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、カラーバースト信号Ｓｂの振幅値Ｖｓｂ（フィードバック電圧Ｖｆ）に対応する輝度信号Ｙのレベルの減衰量（調整量）を決定する（ステップＳ１２）。マイコン制御部６は、ステップＳ１２により決定された減衰量（調整量）に基づいて、制御信号ＣＲＬを輝度信号ｆｓｃトラップ回路７に出力する（ステップＳ１３）。
【００５５】
例えば輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第１実施形態に係る表示装置３１によれば、ドット妨害軽減回路１３は、カラーバースト信号Ｓｂの振幅値Ｖｓｂ（フィードバック電圧値Ｖｆ）が大きくなるに従って輝度信号Ｙのレベルの減衰量を大きくし、カラーバースト信号Ｓｂの振幅値Ｖｓｂ（フィードバック電圧値Ｖｆ）が小さくなるに従って輝度信号Ｙのレベルの減衰量を小さくする。このため、本発明の第１実施形態に係る表示装置３１によれば、ドット妨害、オーバーシュート、リンギング、輪郭のボケの発生を最小限に抑制することができ、その結果、画質の劣化を防止することができる。
【００５６】
以上の説明により、本発明の第１実施形態に係る表示装置３１によれば、複数の伝送方式に対応してドット妨害を軽減することができる。
【００５７】
また、本発明の第１実施形態に係る表示装置３１によれば、画質の劣化を防止することができる。
【００５８】
なお、図１２に示されるように、カラーバースト信号Ｓｂの振幅値Ｖｓｂが基準値Ｖｓｂｒｅｆ以下である場合（微弱信号領域ＡＲ１内である場合）、ＡＣＣ検出回路４は、フィードバック電圧を出力せず、ドット妨害軽減回路１３は、輝度信号Ｙの帯域制限を行わない設定も可能である。この場合、ＡＣＣ検出回路４は、カラーバースト信号Ｓｂの振幅値Ｖｓｂが基準値Ｖｓｂｒｅｆを超える場合（通常信号領域ＡＲ２内である場合）、０Ｖよりも高いフィードバック電圧Ｖｆを出力する。
【００５９】
また、図１３に示されるように、マイコン制御部６は、更に、フィードバック電圧Ｖｆと輝度信号Ｙのレベルの減衰量（調整量）Ｄ１、Ｄ２とを対応付ける減衰量設定メモリ６５を備えている場合もある。フィードバック電圧Ｖｆと減衰量Ｄ１との関係を示すＶｆ−Ｄ１特性は、比例しているが、フィードバック電圧Ｖｆと減衰量Ｄ２との関係を示すＶｆ−Ｄ２特性は、比例していない。Ｖｆ−Ｄ１特性は、上記のカラーバースト信号用制御メモリ６０に格納された減衰特性に対応する。Ｖｆ−Ｄ２特性が示す減衰量Ｄ２は、フィードバック電圧Ｖｆが０ＶからＰ点における電圧までの範囲であるとき、Ｖｆ−Ｄ１特性が示す減衰量Ｄ１よりも大きく、フィードバック電圧ＶｆがＰ点における電圧よりも高いとき、Ｖｆ−Ｄ１特性が示す減衰量Ｄ１よりも小さい。この場合、マイコン制御部６は、上記のカラーバースト信号用制御メモリ６０と減衰量設定メモリ６５とを参照して、輝度信号Ｙのレベルの減衰量Ｄ２を決定する。このように、Ｖｆ−Ｄ１特性が比例関係であっても、マイコン制御部６において、減衰量を任意に変化させることも可能である。
【００６０】
（第２実施形態）
図１４は、本発明の第２実施形態に係る表示装置３２の構成を示す。表示装置３２は、表示部１０と、ドット妨害軽減回路１３とを具備する。第２実施形態では、第１実施形態に重複する説明を省略する。ドット妨害軽減回路１３は、Ｙ／Ｃ分離回路１と、クロマ信号復調制御回路１１と、輝度信号制御回路１２と、ＲＧＢマトリックス回路９と、マイコン制御部１６とを具備する。即ち、ドット妨害軽減回路１３は、前述のマイコン制御部６に代えて、マイコン制御部１６を具備する。
【００６１】
クロマ信号復調制御回路１１は、クロマ信号Ｃを色差信号ＣＢ−Ｙ、ＣＲ−Ｙに変換してＲＧＢマトリックス回路９に出力する。また、クロマ信号復調制御回路１１は、クロマ信号Ｃに基づいて第１伝送方式を検出し、検出された第１伝送方式を表す伝送方式情報Ｓｙｓとクロマ信号Ｃに関連するクロマ関連情報ＣＣとをマイコン制御部１６に出力する。第２実施形態において、クロマ信号復調制御回路１１は、前述のクロマ関連情報ＣＶｓｂに代えて、クロマ関連情報ＣＣをマイコン制御部１６に出力する。クロマ関連情報ＣＣについては後述する。マイコン制御部１６は、クロマ信号復調制御回路１１からの伝送方式情報Ｓｙｓとクロマ関連情報ＣＣとに基づいて輝度信号Ｙのレベルの減衰量（調整量）を決定し、減衰量に基づいて制御信号ＣＲＬを輝度信号制御回路１２に出力する。輝度信号制御回路１２は、マイコン制御部１６からの制御信号ＣＲＬに基づいて輝度信号Ｙのレベルを減衰（調整）して輝度信号Ｙ’’をＲＧＢマトリックス回路９に出力する。ＲＧＢマトリックス回路９は、輝度信号制御回路１２からの輝度信号Ｙ’’とクロマ信号復調制御回路１１からの色差信号ＣＢ−Ｙ、ＣＲ−Ｙとに基づいてＲＧＢ信号（画像信号Ｒ、Ｇ、Ｂ）を生成して表示部１０に出力する。
【００６２】
本発明の第２実施形態に係る表示装置３２によれば、第１実施形態と同様に、ドット妨害軽減回路１３は、複数の伝送方式（ＮＴＳＣ、ＰＡＬ、ＳＥＣＡＭ）に対応してドット妨害を軽減することができる。また、本発明の第２実施形態に係る表示装置３２によれば、伝送方式情報Ｓｙｓとクロマ関連情報ＣＣとにより、画質の劣化を防止することができる。
【００６３】
上記の効果が得られることについて、詳細に説明する。
【００６４】
クロマ信号復調制御回路１１は、ＡＣＣ回路２、クロマ増幅回路３、ＡＣＣ検出回路４、クロマ復調回路５を含む。ＡＣＣ回路２は、Ｙ／Ｃ分離回路１とクロマ増幅回路３とに接続されている。クロマ増幅回路３は、ＡＣＣ検出回路４とクロマ復調回路５とに接続されている。ＡＣＣ検出回路４は、ＡＣＣ回路２に接続されている。クロマ復調回路５は、Ｙ／Ｃ分離回路１とＲＧＢマトリックス回路９とマイコン制御部１６とに接続されている。輝度信号制御回路１２は、輝度信号ｆｓｃトラップ回路７、輝度信号処理回路８を含む。輝度信号ｆｓｃトラップ回路７は、Ｙ／Ｃ分離回路１と輝度信号処理回路８とマイコン制御部１６とに接続されている。輝度信号処理回路８は、ＲＧＢマトリックス回路９に接続されている。
【００６５】
Ｙ／Ｃ分離回路１は、コンポジットビデオ信号ＣＯＭをクロマ信号Ｃと輝度信号Ｙとに分離する。Ｙ／Ｃ分離回路１は、クロマ信号ＣをＡＣＣ回路２に出力し、輝度信号Ｙを輝度信号ｆｓｃトラップ回路７に出力する。
【００６６】
Ｙ／Ｃ分離回路１により分離されたクロマ信号Ｃは、水平帰線期間、映像期間の順にＡＣＣ回路２に入力される。ＡＣＣ回路２は、Ｙ／Ｃ分離回路１により分離されたクロマ信号Ｃをクロマ増幅回路３に出力する。クロマ増幅回路３は、ＡＣＣ回路２からのクロマ信号Ｃを増幅し、クロマ信号Ｃ’をＡＣＣ検出回路４とクロマ復調回路５とに出力する。ＡＣＣ検出回路４は、クロマ増幅回路３からのクロマ信号Ｃ’における水平帰線期間に含まれるカラーバースト信号Ｓｂを検出し、カラーバースト信号Ｓｂの振幅値Ｖｓｂに対応するフィードバック電圧ＶｆをＡＣＣ回路２に出力する。ＡＣＣ回路２には、クロマ信号Ｃにおける水平帰線期間に含まれるカラーバースト信号Ｓｂが一定の振幅で出力されるように、ＡＣＣ検出回路４によりフィードバックがかけられる。
【００６７】
クロマ復調回路５は、クロマ増幅回路３からのクロマ信号Ｃ’を入力する。クロマ復調回路５は、クロマ増幅回路３からのクロマ信号Ｃ’における第４期間に含まれるカラーバースト信号Ｓｂを検出する。クロマ復調回路５は、クロマ復調回路５内の発振器が生成する基準クロックとカラーバースト信号Ｓｂの同調をとり、発振器の周波数をカウントすることで第１伝送方式を検出し、検出された第１伝送方式を表す伝送方式情報Ｓｙｓをマイコン制御部１６に出力する。また、クロマ復調回路５は、クロマ信号Ｃ’を色差信号ＣＢ−Ｙ、ＣＲ−Ｙに変換してＲＧＢマトリックス回路９に出力する。また、クロマ復調回路５は、上記のクロマ関連情報ＣＣをマイコン制御部１６に出力する。クロマ関連情報ＣＣは、クロマ信号Ｃ’の振幅値（クロマ信号振幅値Ｃｐ）と、色差信号ＣＢ−Ｙ、ＣＲ−Ｙの振幅値（色差信号振幅値ＣｐＢ−Ｙ、ＣｐＲ−Ｙ）とを含む。
【００６８】
マイコン制御部１６は、クロマ復調回路５からの伝送方式情報Ｓｙｓ、クロマ関連情報ＣＣ（クロマ信号振幅値Ｃｐ、色差信号振幅値ＣｐＢ−Ｙ、ＣｐＲ−Ｙ）を入力する。マイコン制御部１６は、伝送方式情報Ｓｙｓとクロマ関連情報ＣＣ（クロマ信号振幅値Ｃｐと色差信号振幅値ＣｐＢ−Ｙ、ＣｐＲ−Ｙとの少なくとも１つ）とに基づいて、輝度信号Ｙのレベルの減衰量（調整量）を決定する。マイコン制御部１６は、決定した減衰量に基づいて、制御信号ＣＲＬを輝度信号ｆｓｃトラップ回路７に出力する。
【００６９】
図１５は、本発明の第２実施形態に係る表示装置３２のドット妨害軽減回路１３のマイコン制御部１６の構成を示す。マイコン制御部１６は、マイクロコンピュータであり、減衰特性が格納されたクロマ信号用制御メモリ７０、色差信号用制御メモリ８０を備えている。クロマ信号用制御メモリ７０は、ＮＴＳＣクロマ信号用制御テーブル７１、ＰＡＬクロマ信号用制御テーブル７２、ＳＥＣＡＭクロマ信号用制御テーブル７３を含む。色差信号用制御メモリ８０は、ＮＴＳＣ色差信号用制御テーブル８１、ＰＡＬ色差信号用制御テーブル８２、ＳＥＣＡＭ色差信号用制御テーブル８３を含む。
【００７０】
マイコン制御部１６は、クロマ関連情報ＣＣに含まれるクロマ信号振幅値Ｃｐが設定クロマ信号振幅値Ｃｐｒｅｆを超えるか否かを調べる。クロマ信号振幅値Ｃｐが設定クロマ信号振幅値Ｃｐｒｅｆを超える場合、マイコン制御部１６は、クロマ信号振幅値Ｃｐと設定クロマ信号振幅値Ｃｐｒｅｆとの差分を表す差分クロマ信号振幅値Ｃｐ−Ｃｐｒｅｆを生成し、クロマ信号用制御メモリ７０（ＮＴＳＣクロマ信号用制御テーブル７１、ＰＡＬクロマ信号用制御テーブル７２、ＳＥＣＡＭクロマ信号用制御テーブル７３）を参照する。
【００７１】
図１６に示されるように、ＮＴＳＣクロマ信号用制御テーブル７１には、輝度信号Ｙの周波数帯域と、ＮＴＳＣ伝送方式に適用されるクロマサブキャリアの中心周波数ｆｓｃである３．５８ＭＨｚと、差分クロマ信号振幅値Ｃｐ−Ｃｐｒｅｆと、輝度信号Ｙのレベルの減衰量とを対応付ける減衰特性が格納されている。マイコン制御部１６は、伝送方式情報ＳｙｓがＮＴＳＣ伝送方式を表す場合、ＮＴＳＣクロマ信号用制御テーブル７１を参照して、輝度信号Ｙの周波数帯域のうち、３．５８ＭＨｚに対して、差分クロマ信号振幅値Ｃｐ−Ｃｐｒｅｆに対応する輝度信号Ｙのレベルの減衰量（調整量）を決定する。マイコン制御部１６により決定される減衰量は、差分クロマ信号振幅値Ｃｐ−Ｃｐｒｅｆが大きくなるに従って大きくなり、差分クロマ信号振幅値Ｃｐ−Ｃｐｒｅｆが小さくなるに従って小さくなる。
【００７２】
図１７に示されるように、ＰＡＬクロマ信号用制御テーブル７２には、輝度信号Ｙの周波数帯域と、ＰＡＬ伝送方式に適用されるクロマサブキャリアの中心周波数ｆｓｃである４．４３ＭＨｚと、差分クロマ信号振幅値Ｃｐ−Ｃｐｒｅｆと、輝度信号Ｙのレベルの減衰量とを対応付ける減衰特性が格納されている。マイコン制御部１６は、伝送方式情報ＳｙｓがＰＡＬ伝送方式を表す場合、ＰＡＬクロマ信号用制御テーブル７２を参照して、輝度信号Ｙの周波数帯域のうち、４．４３ＭＨｚに対して、差分クロマ信号振幅値Ｃｐ−Ｃｐｒｅｆに対応する輝度信号Ｙのレベルの減衰量（調整量）を決定する。マイコン制御部１６により決定される減衰量は、差分クロマ信号振幅値Ｃｐ−Ｃｐｒｅｆが大きくなるに従って大きくなり、差分クロマ信号振幅値Ｃｐ−Ｃｐｒｅｆが小さくなるに従って小さくなる。
【００７３】
図１８に示されるように、ＳＥＣＡＭクロマ信号用制御テーブル７３には、輝度信号Ｙの周波数帯域と、ＳＥＣＡＭ伝送方式に適用されるクロマサブキャリアの中心周波数ｆｓｃである４．１８ＭＨｚ、４．４０ＭＨｚと、差分クロマ信号振幅値Ｃｐ−Ｃｐｒｅｆと、輝度信号Ｙのレベルの減衰量とを対応付ける減衰特性（双峰特性）が格納されている。ＳＥＣＡＭ伝送方式では、色合いに応じてクロマサブキャリア周波数ｆｓｃが異なり、色差信号ＣＢ−Ｙ、ＣＲ−Ｙの変調周波数が異なる場合がある。このため、ＳＥＣＡＭ伝送方式において、画質を向上させるために、双峰特性を考慮して輝度信号Ｙのレベルの減衰量を決定することが好ましい。マイコン制御部１６は、伝送方式情報ＳｙｓがＳＥＣＡＭ伝送方式を表す場合、ＳＥＣＡＭクロマ信号用制御テーブル７３を参照して、輝度信号Ｙの周波数帯域のうち、４．１８ＭＨｚ、４．４０ＭＨｚに対して、差分クロマ信号振幅値Ｃｐ−Ｃｐｒｅｆに対応する輝度信号Ｙのレベルの減衰量（調整量）を決定する。マイコン制御部１６により決定される減衰量は、差分クロマ信号振幅値Ｃｐ−Ｃｐｒｅｆが大きくなるに従って大きくなり、差分クロマ信号振幅値Ｃｐ−Ｃｐｒｅｆが小さくなるに従って小さくなる。
【００７４】
マイコン制御部１６は、図１９（ａ）に示されるようなクロマ関連情報ＣＣに含まれる色差信号振幅値ＣｐＢ−Ｙ、ＣｐＲ−Ｙを微分して、図１９（ｂ）に示されるような高域周波数成分を検出する。マイコン制御部１６は、高域周波数成分のピーク値である高域周波数成分ピーク値ｆが設定高域周波数成分ピーク値ｆｒｅｆを超えるか否かを調べる。高域周波数成分ピーク値ｆが設定高域周波数成分ピーク値ｆｒｅｆを超える場合、マイコン制御部１６は、高域周波数成分ピーク値ｆと設定高域周波数成分ピーク値ｆｒｅｆとの差分を表す差分高域周波数成分ｆ−ｆｒｅｆを生成し、クロマ信号用制御メモリ７０（ＮＴＳＣクロマ信号用制御テーブル７１、ＰＡＬクロマ信号用制御テーブル７２、ＳＥＣＡＭクロマ信号用制御テーブル７３）を参照する。
【００７５】
図２０に示されるように、ＮＴＳＣ色差信号用制御テーブル８１には、輝度信号Ｙの周波数帯域と、ＮＴＳＣ伝送方式に適用されるクロマサブキャリアの中心周波数ｆｓｃである３．５８ＭＨｚと、差分高域周波数成分ｆ−ｆｒｅｆと、輝度信号Ｙのレベルの減衰量とを対応付ける減衰特性が格納されている。マイコン制御部１６は、伝送方式情報ＳｙｓがＮＴＳＣ伝送方式を表す場合、ＮＴＳＣ色差信号用制御テーブル８１を参照して、輝度信号Ｙの周波数帯域のうち、３．５８ＭＨｚに対して、差分高域周波数成分ｆ−ｆｒｅｆに対応する輝度信号Ｙのレベルの減衰量（調整量）を決定する。マイコン制御部１６により決定される減衰量は、差分高域周波数成分ｆ−ｆｒｅｆが大きくなるに従って大きくなり、差分高域周波数成分ｆ−ｆｒｅｆが小さくなるに従って小さくなる。
【００７６】
図２１に示されるように、ＰＡＬ色差信号用制御テーブル８２には、輝度信号Ｙの周波数帯域と、ＰＡＬ伝送方式に適用されるクロマサブキャリアの中心周波数ｆｓｃである４．４３ＭＨｚと、差分高域周波数成分ｆ−ｆｒｅｆと、輝度信号Ｙのレベルの減衰量とを対応付ける減衰特性が格納されている。マイコン制御部１６は、伝送方式情報ＳｙｓがＰＡＬ伝送方式を表す場合、ＰＡＬ色差信号用制御テーブル８２を参照して、輝度信号Ｙの周波数帯域のうち、４．４３ＭＨｚに対して、差分高域周波数成分ｆ−ｆｒｅｆに対応する輝度信号Ｙのレベルの減衰量（調整量）を決定する。マイコン制御部１６により決定される減衰量は、差分高域周波数成分ｆ−ｆｒｅｆが大きくなるに従って大きくなり、差分高域周波数成分ｆ−ｆｒｅｆが小さくなるに従って小さくなる。
【００７７】
図２２に示されるように、ＳＥＣＡＭ色差信号用制御テーブル８３には、輝度信号Ｙの周波数帯域と、ＳＥＣＡＭ伝送方式に適用されるクロマサブキャリアの中心周波数ｆｓｃである４．１８ＭＨｚ、４．４０ＭＨｚと、差分高域周波数成分ｆ−ｆｒｅｆと、輝度信号Ｙのレベルの減衰量とを対応付ける減衰特性（双峰特性）が格納されている。ＳＥＣＡＭ伝送方式では、色合いに応じてクロマサブキャリア周波数ｆｓｃが異なり、色差信号ＣＢ−Ｙ、ＣＲ−Ｙの変調周波数が異なる場合がある。このため、ＳＥＣＡＭ伝送方式において、画質を向上させるために、双峰特性を考慮して輝度信号Ｙのレベルの減衰量を決定することが好ましい。マイコン制御部１６は、伝送方式情報ＳｙｓがＳＥＣＡＭ伝送方式を表す場合、ＳＥＣＡＭ色差信号用制御テーブル８３を参照して、輝度信号Ｙの周波数帯域のうち、４．１８ＭＨｚ、４．４０ＭＨｚに対して、差分高域周波数成分ｆ−ｆｒｅｆに対応する輝度信号Ｙのレベルの減衰量（調整量）を決定する。マイコン制御部１６により決定される減衰量は、差分高域周波数成分ｆ−ｆｒｅｆが大きくなるに従って大きくなり、差分高域周波数成分ｆ−ｆｒｅｆが小さくなるに従って小さくなる。
【００７８】
Ｙ／Ｃ分離回路１により分離された輝度信号Ｙは、水平帰線期間、映像期間の順に輝度信号ｆｓｃトラップ回路７に入力される。輝度信号ｆｓｃトラップ回路７は、マイコン制御部１６からの制御信号ＣＲＬに基づいて輝度信号Ｙのレベルを減衰（調整）して輝度信号Ｙ’を輝度信号処理回路８に出力する。輝度信号処理回路８は、輝度信号Ｙ’における黒レベル補正、振幅の増減、シャープネス補正を行って輝度信号Ｙ’’をＲＧＢマトリックス回路９に出力する。
【００７９】
ＲＧＢマトリックス回路９は、輝度信号制御回路１２からの輝度信号Ｙ’’とクロマ信号復調制御回路１１からの色差信号ＣＢ−Ｙ、ＣＲ−Ｙとに基づいてＲＧＢ信号（画像信号Ｒ、Ｇ、Ｂ）を生成して表示部１０に出力する。
【００８０】
図２３は、本発明の第２実施形態に係る表示装置３２におけるドット妨害軽減回路１３のマイコン制御部１６の動作を示すフローチャートである。
【００８１】
マイコン制御部１６は、クロマ復調回路５からの伝送方式情報Ｓｙｓ、クロマ関連情報ＣＣ（クロマ信号振幅値Ｃｐ、色差信号振幅値ＣｐＢ−Ｙ、ＣｐＲ−Ｙ）を入力する（ステップＳ２１）。次に、マイコン制御部１６は、クロマ関連情報ＣＣに含まれる色差信号振幅値ＣｐＢ−Ｙ、ＣｐＲ−Ｙを微分して高域周波数成分を検出する（ステップＳ２２）。
【００８２】
伝送方式情報Ｓｙｓが第１伝送方式を表し、クロマ信号振幅値Ｃｐが設定クロマ信号振幅値Ｃｐｒｅｆを超え、高域周波数成分ピーク値ｆが設定高域周波数成分ピーク値ｆｒｅｆを超える（ステップＳ２３−ＹＥＳ）。この場合、マイコン制御部１６は、クロマ信号用制御メモリ７０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分クロマ信号振幅値Ｃｐ−Ｃｐｒｅｆに対応する輝度信号Ｙのレベルの減衰量（調整量）を決定する。更に、マイコン制御部１６は、色差信号用制御メモリ８０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分高域周波数成分ｆ−ｆｒｅｆに対応する輝度信号Ｙのレベルの減衰量（調整量）を決定する（ステップＳ２６）。マイコン制御部１６は、ステップＳ２６により決定された減衰量（差分クロマ信号振幅値Ｃｐ−Ｃｐｒｅｆに対応する輝度信号Ｙのレベルの減衰量、差分高域周波数成分ｆ−ｆｒｅｆに対応する輝度信号Ｙのレベルの減衰量）に基づいて、制御信号ＣＲＬを輝度信号ｆｓｃトラップ回路７に出力する（ステップＳ２７）。
【００８３】
例えば輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第２実施形態に係る表示装置３２によれば、ドット妨害軽減回路１３は、クロマ信号Ｃ（クロマ信号Ｃ’）の振幅値Ｃｐ（差分クロマ信号振幅値Ｃｐ−Ｃｐｒｅｆ）が大きくなるに従って輝度信号Ｙのレベルの減衰量を大きくし、クロマ信号Ｃ（クロマ信号Ｃ’）の振幅値Ｃｐ（差分クロマ信号振幅値Ｃｐ−Ｃｐｒｅｆ）が小さくなるに従って輝度信号Ｙのレベルの減衰量を小さくする。このため、本発明の第２実施形態に係る表示装置３２によれば、ドット妨害、オーバーシュート、リンギング、輪郭のボケの発生を最小限に抑制することができ、その結果、画質の劣化を防止することができる。
また、本発明の第２実施形態に係る表示装置３２によれば、ドット妨害軽減回路１３は、色差信号ＣＢ−Ｙ、ＣＲ−Ｙの振幅の高域周波数成分ピーク値ｆ（差分高域周波数成分ｆ−ｆｒｅｆ）が大きくなるに従って輝度信号Ｙのレベルの減衰量を大きくし、色差信号ＣＢ−Ｙ、ＣＲ−Ｙの振幅の高域周波数成分ピーク値ｆ（差分高域周波数成分ｆ−ｆｒｅｆ）が小さくなるに従って輝度信号Ｙのレベルの減衰量を小さくする。このため、本発明の第２実施形態に係る表示装置３２によれば、オーバーシュート、リンギング、輪郭のボケの発生を最小限に抑制することができ、その結果、画質の劣化を防止することができる。
また、本発明の第２実施形態に係る表示装置３２によれば、ドット妨害軽減回路１３は、クロマ信号Ｃ（クロマ信号Ｃ’）の振幅値Ｃｐ、色差信号ＣＢ−Ｙ、ＣＲ−Ｙの振幅の高域周波数成分ピーク値ｆが特定範囲（設定クロマ信号振幅値Ｃｐｒｅｆ、設定高域周波数成分ピーク値ｆｒｅｆ）を超えたときに限り、上記の減衰量（調整量）を決定する。このため、本発明の第２実施形態に係る表示装置３２によれば、画質の最適化を行うことができる。
【００８４】
伝送方式情報Ｓｙｓが第１伝送方式を表し、クロマ信号振幅値Ｃｐが設定クロマ信号振幅値Ｃｐｒｅｆを超え、高域周波数成分ピーク値ｆが設定高域周波数成分ピーク値ｆｒｅｆ以下である（ステップＳ２３−ＮＯ、Ｓ２４−ＹＥＳ）。この場合、マイコン制御部１６は、クロマ信号用制御メモリ７０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分クロマ信号振幅値Ｃｐ−Ｃｐｒｅｆに対応する輝度信号Ｙのレベルの減衰量（調整量）を決定する（ステップＳ２８）。マイコン制御部１６は、ステップＳ２８により決定された減衰量（調整量）に基づいて、制御信号ＣＲＬを輝度信号ｆｓｃトラップ回路７に出力する（ステップＳ２７）。
【００８５】
上述のように、輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第２実施形態に係る表示装置３２によれば、ドット妨害軽減回路１３は、クロマ信号Ｃ（クロマ信号Ｃ’）の振幅値Ｃｐ（差分クロマ信号振幅値Ｃｐ−Ｃｐｒｅｆ）が大きくなるに従って輝度信号Ｙのレベルの減衰量を大きくし、クロマ信号Ｃ（クロマ信号Ｃ’）の振幅値Ｃｐ（差分クロマ信号振幅値Ｃｐ−Ｃｐｒｅｆ）が小さくなるに従って輝度信号Ｙのレベルの減衰量を小さくする。このため、本発明の第２実施形態に係る表示装置３２によれば、ドット妨害、オーバーシュート、リンギング、輪郭のボケの発生を最小限に抑制することができ、その結果、画質の劣化を防止することができる。
また、本発明の第２実施形態に係る表示装置３２によれば、ドット妨害軽減回路１３は、クロマ信号Ｃ（クロマ信号Ｃ’）の振幅値Ｃｐが特定範囲（設定クロマ信号振幅値Ｃｐｒｅｆ）を超えたときに限り、上記の減衰量（調整量）を決定する。このため、本発明の第２実施形態に係る表示装置３２によれば、画質の最適化を行うことができる。
【００８６】
伝送方式情報Ｓｙｓが第１伝送方式を表し、クロマ信号振幅値Ｃｐが設定クロマ信号振幅値Ｃｐｒｅｆ以下であり、高域周波数成分ピーク値ｆが設定高域周波数成分ピーク値ｆｒｅｆを超える（ステップＳ２３−ＮＯ、Ｓ２４−ＮＯ、Ｓ２５−ＹＥＳ）。この場合、マイコン制御部１６は、色差信号用制御メモリ８０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分高域周波数成分ｆ−ｆｒｅｆに対応する輝度信号Ｙのレベルの減衰量（調整量）を決定する（ステップＳ２９）。マイコン制御部１６は、ステップＳ２９により決定された減衰量（調整量）に基づいて、制御信号ＣＲＬを輝度信号ｆｓｃトラップ回路７に出力する（ステップＳ２７）。
【００８７】
上述のように、輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第２実施形態に係る表示装置３２によれば、ドット妨害軽減回路１３は、色差信号ＣＢ−Ｙ、ＣＲ−Ｙの振幅の高域周波数成分ピーク値ｆ（差分高域周波数成分ｆ−ｆｒｅｆ）が大きくなるに従って輝度信号Ｙのレベルの減衰量を大きくし、色差信号ＣＢ−Ｙ、ＣＲ−Ｙの振幅の高域周波数成分ピーク値ｆ（差分高域周波数成分ｆ−ｆｒｅｆ）が小さくなるに従って輝度信号Ｙのレベルの減衰量を小さくする。このため、本発明の第２実施形態に係る表示装置３２によれば、ドット妨害、オーバーシュート、リンギング、輪郭のボケの発生を最小限に抑制することができ、その結果、画質の劣化を防止することができる。
また、本発明の第２実施形態に係る表示装置３２によれば、ドット妨害軽減回路１３は、色差信号ＣＢ−Ｙ、ＣＲ−Ｙの振幅の高域周波数成分ピーク値ｆが特定範囲（設定高域周波数成分ピーク値ｆｒｅｆ）を超えたときに限り、上記の減衰量（調整量）を決定する。このため、本発明の第２実施形態に係る表示装置３２によれば、画質の最適化を行うことができる。
【００８８】
以上の説明により、本発明の第２実施形態に係る表示装置３２によれば、複数の伝送方式に対応してドット妨害を軽減することができる。
【００８９】
また、本発明の第２実施形態に係る表示装置３２によれば、画質の劣化を防止することができる。
【００９０】
また、本発明の第２実施形態に係る表示装置３２によれば、画質の最適化を行うことができる。
【００９１】
（第３実施形態）
図２４は、本発明の第２実施形態に係る表示装置３３の構成を示す。表示装置３３は、表示部１０と、ドット妨害軽減回路１３とを具備する。第３実施形態では、第１実施形態、第２実施形態に重複する説明を省略する。ドット妨害軽減回路１３は、Ｙ／Ｃ分離回路１と、クロマ信号復調制御回路１１と、輝度信号制御回路１２と、ＲＧＢマトリックス回路９と、マイコン制御部２６とを具備する。即ち、ドット妨害軽減回路１３は、前述のマイコン制御部６、１６に代えて、マイコン制御部２６を具備する。
【００９２】
クロマ信号復調制御回路１１は、クロマ信号Ｃを色差信号ＣＢ−Ｙ、ＣＲ−Ｙに変換してＲＧＢマトリックス回路９に出力する。また、クロマ信号復調制御回路１１は、クロマ信号Ｃに基づいて第１伝送方式を検出し、検出された第１伝送方式を表す伝送方式情報Ｓｙｓとクロマ信号Ｃに関連するクロマ関連情報ＣＶｓｂ、ＣＣとをマイコン制御部２６に出力する。第３実施形態において、クロマ信号復調制御回路１１は、前述のクロマ関連情報ＣＶｓｂと前述のクロマ関連情報ＣＣとの両方をマイコン制御部２６に出力する。マイコン制御部２６は、クロマ信号復調制御回路１１からの伝送方式情報Ｓｙｓとクロマ関連情報ＣＶｓｂ、ＣＣとに基づいて輝度信号Ｙのレベルの減衰量（調整量）を決定し、減衰量に基づいて制御信号ＣＲＬを輝度信号制御回路１２に出力する。輝度信号制御回路１２は、マイコン制御部２６からの制御信号ＣＲＬに基づいて輝度信号Ｙのレベルを減衰（調整）して輝度信号Ｙ’’をＲＧＢマトリックス回路９に出力する。ＲＧＢマトリックス回路９は、輝度信号制御回路１２からの輝度信号Ｙ’’とクロマ信号復調制御回路１１からの色差信号ＣＢ−Ｙ、ＣＲ−Ｙとに基づいてＲＧＢ信号（画像信号Ｒ、Ｇ、Ｂ）を生成して表示部１０に出力する。
【００９３】
本発明の第３実施形態に係る表示装置３３によれば、第１実施形態と同様に、ドット妨害軽減回路１３は、複数の伝送方式（ＮＴＳＣ、ＰＡＬ、ＳＥＣＡＭ）に対応してドット妨害を軽減することができる。また、本発明の第３実施形態に係る表示装置３３によれば、伝送方式情報Ｓｙｓとクロマ関連情報ＣＶｓｂ、ＣＣとにより、画質の劣化を防止することができる。
【００９４】
上記の効果が得られることについて、詳細に説明する。
【００９５】
クロマ信号復調制御回路１１は、ＡＣＣ回路２、クロマ増幅回路３、ＡＣＣ検出回路４、クロマ復調回路５を含む。ＡＣＣ回路２は、Ｙ／Ｃ分離回路１とクロマ増幅回路３とに接続されている。クロマ増幅回路３は、ＡＣＣ検出回路４とクロマ復調回路５とに接続されている。ＡＣＣ検出回路４は、ＡＣＣ回路２とマイコン制御部２６とに接続されている。クロマ復調回路５は、Ｙ／Ｃ分離回路１とＲＧＢマトリックス回路９とマイコン制御部２６とに接続されている。輝度信号制御回路１２は、輝度信号ｆｓｃトラップ回路７、輝度信号処理回路８を含む。輝度信号ｆｓｃトラップ回路７は、Ｙ／Ｃ分離回路１と輝度信号処理回路８とマイコン制御部２６とに接続されている。輝度信号処理回路８は、ＲＧＢマトリックス回路９に接続されている。
【００９６】
Ｙ／Ｃ分離回路１は、コンポジットビデオ信号ＣＯＭをクロマ信号Ｃと輝度信号Ｙとに分離する。Ｙ／Ｃ分離回路１は、クロマ信号ＣをＡＣＣ回路２に出力し、輝度信号Ｙを輝度信号ｆｓｃトラップ回路７に出力する。
【００９７】
Ｙ／Ｃ分離回路１により分離されたクロマ信号Ｃは、水平帰線期間、映像期間の順にＡＣＣ回路２に入力される。ＡＣＣ回路２は、Ｙ／Ｃ分離回路１により分離されたクロマ信号Ｃをクロマ増幅回路３に出力する。クロマ増幅回路３は、ＡＣＣ回路２からのクロマ信号Ｃを増幅し、クロマ信号Ｃ’をＡＣＣ検出回路４とクロマ復調回路５とに出力する。ＡＣＣ検出回路４は、クロマ増幅回路３からのクロマ信号Ｃ’における水平帰線期間に含まれるカラーバースト信号Ｓｂを検出し、カラーバースト信号Ｓｂの振幅値Ｖｓｂに対応するフィードバック電圧ＶｆをＡＣＣ回路２に出力する。ＡＣＣ回路２には、クロマ信号Ｃにおける水平帰線期間に含まれるカラーバースト信号Ｓｂが一定の振幅で出力されるように、ＡＣＣ検出回路４によりフィードバックがかけられる。また、ＡＣＣ検出回路４は、上記のクロマ関連情報ＣＶｓｂをマイコン制御部２６に出力する。クロマ関連情報ＣＶｓｂは、カラーバースト信号Ｓｂの振幅値Ｖｓｂに対応するフィードバック電圧（フィードバック電圧値）Ｖｆを含む。
【００９８】
クロマ復調回路５は、クロマ増幅回路３からのクロマ信号Ｃ’を入力する。クロマ復調回路５は、クロマ増幅回路３からのクロマ信号Ｃ’における第４期間に含まれるカラーバースト信号Ｓｂを検出する。クロマ復調回路５は、クロマ復調回路５内の発振器が生成する基準クロックとカラーバースト信号Ｓｂの同調をとり、発振器の周波数をカウントすることで第１伝送方式を検出し、検出された第１伝送方式を表す伝送方式情報Ｓｙｓをマイコン制御部２６に出力する。また、クロマ復調回路５は、クロマ信号Ｃ’を色差信号ＣＢ−Ｙ、ＣＲ−Ｙに変換してＲＧＢマトリックス回路９に出力する。また、クロマ復調回路５は、上記のクロマ関連情報ＣＣをマイコン制御部２６に出力する。クロマ関連情報ＣＣは、クロマ信号Ｃの振幅値（クロマ信号振幅値Ｃｐ）と、色差信号ＣＢ−Ｙ、ＣＲ−Ｙの振幅値（色差信号振幅値ＣｐＢ−Ｙ、ＣｐＲ−Ｙ）とを含む。
【００９９】
マイコン制御部２６は、ＡＣＣ検出回路４からのクロマ関連情報ＣＶｓｂ（カラーバースト信号Ｓｂの振幅値Ｖｓｂに対応するフィードバック電圧値Ｖｆ）を入力する。マイコン制御部２６は、クロマ復調回路５からの伝送方式情報Ｓｙｓ、クロマ関連情報ＣＣ（クロマ信号振幅値Ｃｐ、色差信号振幅値ＣｐＢ−Ｙ、ＣｐＲ−Ｙ）を入力する。マイコン制御部２６は、伝送方式情報Ｓｙｓとクロマ関連情報ＣＶｓｂ｛フィードバック電圧値Ｖｆ（カラーバースト信号Ｓｂの振幅値Ｖｓｂ）｝とに基づいて、輝度信号Ｙのレベルの減衰量（調整量）を決定する。又は、マイコン制御部２６は、伝送方式情報Ｓｙｓとクロマ関連情報ＣＣ（クロマ信号振幅値Ｃｐと色差信号振幅値ＣｐＢ−Ｙ、ＣｐＲ−Ｙとの少なくとも１つ）とに基づいて、輝度信号Ｙのレベルの減衰量（調整量）を決定する。マイコン制御部１６は、決定した減衰量に基づいて、制御信号ＣＲＬを輝度信号ｆｓｃトラップ回路７に出力する。
【０１００】
Ｙ／Ｃ分離回路１により分離された輝度信号Ｙは、水平帰線期間、映像期間の順に輝度信号ｆｓｃトラップ回路７に入力される。輝度信号ｆｓｃトラップ回路７は、マイコン制御部２６からの制御信号ＣＲＬに基づいて輝度信号Ｙのレベルを減衰（調整）して輝度信号Ｙ’を輝度信号処理回路８に出力する。輝度信号処理回路８は、輝度信号Ｙ’における黒レベル補正、振幅の増減、シャープネス補正を行って輝度信号Ｙ’’をＲＧＢマトリックス回路９に出力する。
【０１０１】
ＲＧＢマトリックス回路９は、輝度信号制御回路１２からの輝度信号Ｙ’’とクロマ信号復調制御回路１１からの色差信号ＣＢ−Ｙ、ＣＲ−Ｙとに基づいてＲＧＢ信号（画像信号Ｒ、Ｇ、Ｂ）を生成して表示部１０に出力する。
【０１０２】
図２５は、本発明の第３実施形態に係る表示装置３３のドット妨害軽減回路１３のマイコン制御部２６の構成を示す。マイコン制御部２６は、マイクロコンピュータであり、前述のカラーバースト信号用制御メモリ６０、クロマ信号用制御メモリ７０、色差信号用制御メモリ８０を備えている。
【０１０３】
図２６は、本発明の第３実施形態に係る表示装置３３におけるドット妨害軽減回路１３のマイコン制御部２６の動作を示すフローチャートである。
【０１０４】
マイコン制御部２６は、ＡＣＣ検出回路４からのクロマ関連情報ＣＶｓｂ（カラーバースト信号Ｓｂの振幅値Ｖｓｂに対応するフィードバック電圧値Ｖｆ）を入力する。マイコン制御部２６は、クロマ復調回路５からの伝送方式情報Ｓｙｓ、クロマ関連情報ＣＣ（クロマ信号振幅値Ｃｐ、色差信号振幅値ＣｐＢ−Ｙ、ＣｐＲ−Ｙ）を入力する（ステップＳ３１）。次に、マイコン制御部２６は、クロマ関連情報ＣＣに含まれる色差信号振幅値ＣｐＢ−Ｙ、ＣｐＲ−Ｙを微分して高域周波数成分を検出する（ステップＳ３２）。
【０１０５】
伝送方式情報Ｓｙｓが第１伝送方式を表し、クロマ信号振幅値Ｃｐが設定クロマ信号振幅値Ｃｐｒｅｆ以下であり、高域周波数成分ピーク値ｆが設定高域周波数成分ピーク値ｆｒｅｆ以下である（ステップＳ３３−ＮＯ、Ｓ３４−ＮＯ、Ｓ３５−ＮＯ）。この場合、マイコン制御部２６は、カラーバースト信号用制御メモリ６０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、カラーバースト信号Ｓｂの振幅値Ｖｓｂ（フィードバック電圧Ｖｆ）に対応する輝度信号Ｙのレベルの減衰量である第１減衰量（第１調整量）を決定する（ステップＳ３６）。マイコン制御部６は、第１減衰量（第１調整量）に基づいて、制御信号ＣＲＬを輝度信号ｆｓｃトラップ回路７に出力する（ステップＳ３７）。
【０１０６】
例えば輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第３実施形態に係る表示装置３３によれば、ドット妨害軽減回路１３は、カラーバースト信号Ｓｂの振幅値Ｖｓｂ（フィードバック電圧値Ｖｆ）が大きくなるに従って輝度信号Ｙのレベルの第１減衰量（第１調整量）を大きくし、カラーバースト信号Ｓｂの振幅値Ｖｓｂ（フィードバック電圧値Ｖｆ）が小さくなるに従って輝度信号Ｙのレベルの第１減衰量（第１調整量）を小さくする。このため、本発明の第３実施形態に係る表示装置３３によれば、ドット妨害、オーバーシュート、リンギング、輪郭のボケの発生を最小限に抑制することができ、その結果、画質の劣化を防止することができる。
【０１０７】
伝送方式情報Ｓｙｓが第１伝送方式を表し、クロマ信号振幅値Ｃｐが設定クロマ信号振幅値Ｃｐｒｅｆを超え、高域周波数成分ピーク値ｆが設定高域周波数成分ピーク値ｆｒｅｆを超える（ステップＳ３３−ＹＥＳ）。この場合、マイコン制御部２６は、クロマ信号用制御メモリ７０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分クロマ信号振幅値Ｃｐ−Ｃｐｒｅｆに対応する輝度信号Ｙのレベルの減衰量である第２減衰量（第２調整量）を決定する。更に、マイコン制御部２６は、色差信号用制御メモリ８０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分高域周波数成分ｆ−ｆｒｅｆに対応する輝度信号Ｙのレベルの減衰量である第２減衰量（第２’’調整量）を決定する（ステップＳ３８）。マイコン制御部２６は、現在の減衰量（例えば上記の第１減衰量）に代えて、ステップＳ３８により決定された第２減衰量（第２調整量、第２’調整量）に基づいて、制御信号ＣＲＬを輝度信号ｆｓｃトラップ回路７に出力する（ステップＳ３９）。
【０１０８】
上述のように、輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第３実施形態に係る表示装置３３によれば、ドット妨害軽減回路１３は、クロマ信号Ｃ（クロマ信号Ｃ’）の振幅値Ｃｐ（差分クロマ信号振幅値Ｃｐ−Ｃｐｒｅｆ）が大きくなるに従って輝度信号Ｙのレベルの第２減衰量（第２調整量）を大きくし、クロマ信号Ｃ（クロマ信号Ｃ’）の振幅値Ｃｐ（差分クロマ信号振幅値Ｃｐ−Ｃｐｒｅｆ）が小さくなるに従って輝度信号Ｙのレベルの第２減衰量（第２調整量）を小さくする。このため、本発明の第３実施形態に係る表示装置３３によれば、ドット妨害、オーバーシュート、リンギング、輪郭のボケの発生を最小限に抑制することができ、その結果、画質の劣化を防止することができる。
また、本発明の第３実施形態に係る表示装置３３によれば、ドット妨害軽減回路１３は、色差信号ＣＢ−Ｙ、ＣＲ−Ｙの振幅の高域周波数成分ピーク値ｆ（差分高域周波数成分ｆ−ｆｒｅｆ）が大きくなるに従って輝度信号Ｙのレベルの第２減衰量（第２’調整量）を大きくし、色差信号ＣＢ−Ｙ、ＣＲ−Ｙの振幅の高域周波数成分ピーク値ｆ（差分高域周波数成分ｆ−ｆｒｅｆ）が小さくなるに従って輝度信号Ｙのレベルの第２減衰量（第２’調整量）を小さくする。このため、本発明の第３実施形態に係る表示装置３３によれば、ドット妨害、オーバーシュート、リンギング、輪郭のボケの発生を最小限に抑制することができ、その結果、画質の劣化を防止することができる。
また、本発明の第３実施形態に係る表示装置３３によれば、ドット妨害軽減回路１３は、クロマ信号Ｃ（クロマ信号Ｃ’）の振幅値Ｃｐ、色差信号ＣＢ−Ｙ、ＣＲ−Ｙの振幅の高域周波数成分ピーク値ｆが特定範囲（設定クロマ信号振幅値Ｃｐｒｅｆ、設定高域周波数成分ピーク値ｆｒｅｆ）を超えたときに限り、上記の第２減衰量（第２調整量、第２’調整量）を決定する。このため、本発明の第３実施形態に係る表示装置３３によれば、画質の最適化を行うことができる。
【０１０９】
伝送方式情報Ｓｙｓが第１伝送方式を表し、クロマ信号振幅値Ｃｐが設定クロマ信号振幅値Ｃｐｒｅｆを超え、高域周波数成分ピーク値ｆが設定高域周波数成分ピーク値ｆｒｅｆ以下である（ステップＳ３３−ＮＯ、Ｓ３４−ＹＥＳ）。この場合、マイコン制御部２６は、クロマ信号用制御メモリ７０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分クロマ信号振幅値Ｃｐ−Ｃｐｒｅｆに対応する輝度信号Ｙのレベルの減衰量である第３減衰量（第３調整量）を決定する（ステップＳ４０）。マイコン制御部２６は、現在の減衰量（例えば上記の第１減衰量）に代えて、ステップＳ４０により決定された第３減衰量（調整量）に基づいて、制御信号ＣＲＬを輝度信号ｆｓｃトラップ回路７に出力する（ステップＳ４１）。
【０１１０】
上述のように、輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第３実施形態に係る表示装置３３によれば、ドット妨害軽減回路１３は、クロマ信号Ｃ（クロマ信号Ｃ’）の振幅値Ｃｐ（差分クロマ信号振幅値Ｃｐ−Ｃｐｒｅｆ）が大きくなるに従って輝度信号Ｙのレベルの第３減衰量（第３調整量）を大きくし、クロマ信号Ｃ（クロマ信号Ｃ’）の振幅値Ｃｐ（差分クロマ信号振幅値Ｃｐ−Ｃｐｒｅｆ）が小さくなるに従って輝度信号Ｙのレベルの第３減衰量（第３調整量）を小さくする。このため、本発明の第３実施形態に係る表示装置３３によれば、ドット妨害、オーバーシュート、リンギング、輪郭のボケの発生を最小限に抑制することができ、その結果、画質の劣化を防止することができる。
また、本発明の第３実施形態に係る表示装置３３によれば、ドット妨害軽減回路１３は、クロマ信号Ｃ（クロマ信号Ｃ’）の振幅値Ｃｐが特定範囲（設定クロマ信号振幅値Ｃｐｒｅｆ）を超えたときに限り、上記の第３減衰量（第３調整量）を決定する。このため、本発明の第３実施形態に係る表示装置３３によれば、画質の最適化を行うことができる。
【０１１１】
伝送方式情報Ｓｙｓが第１伝送方式を表し、クロマ信号振幅値Ｃｐが設定クロマ信号振幅値Ｃｐｒｅｆ以下であり、高域周波数成分ピーク値ｆが設定高域周波数成分ピーク値ｆｒｅｆを超える（ステップＳ３３−ＮＯ、Ｓ３４−ＮＯ、Ｓ３５−ＹＥＳ）。この場合、マイコン制御部２６は、色差信号用制御メモリ８０を参照して、輝度信号Ｙの周波数帯域のうち、第１伝送方式（ＮＴＳＣ、ＰＡＬ、ＳＥＣＡＭのいずれか）に適用されるクロマサブキャリアの中心周波数ｆｓｃに対して、差分高域周波数成分ｆ−ｆｒｅｆに対応する輝度信号Ｙのレベルの第４減衰量（調整量）を決定する（ステップＳ４２）。マイコン制御部２６は、現在の減衰量（例えば上記の第１減衰量）に代えて、ステップＳ４０により決定された第４減衰量（調整量）に基づいて、制御信号ＣＲＬを輝度信号ｆｓｃトラップ回路７に出力する（ステップＳ４３）。
【０１１２】
上述のように、輝度信号Ｙのレベルの減衰量（調整量）を予めに決めている場合、その減衰量が小さ過ぎるとドット妨害が発生する場合がある。また、その減衰量が大き過ぎるとオーバーシュートやリンギング、輪郭のボケが発生する場合がある。
本発明の第３実施形態に係る表示装置３３によれば、ドット妨害軽減回路１３は、色差信号ＣＢ−Ｙ、ＣＲ−Ｙの振幅の高域周波数成分ピーク値ｆ（差分高域周波数成分ｆ−ｆｒｅｆ）が大きくなるに従って輝度信号Ｙのレベルの第４減衰量（第４調整量）を大きくし、色差信号ＣＢ−Ｙ、ＣＲ−Ｙの振幅の高域周波数成分ピーク値ｆ（差分高域周波数成分ｆ−ｆｒｅｆ）が小さくなるに従って輝度信号Ｙのレベルの第４減衰量（第４調整量）を小さくする。このため、本発明の第３実施形態に係る表示装置３３によれば、ドット妨害、オーバーシュート、リンギング、輪郭のボケの発生を最小限に抑制することができ、その結果、画質の劣化を防止することができる。
また、本発明の第３実施形態に係る表示装置３３によれば、ドット妨害軽減回路１３は、色差信号ＣＢ−Ｙ、ＣＲ−Ｙの振幅の高域周波数成分ピーク値ｆが特定範囲（設定高域周波数成分ピーク値ｆｒｅｆ）を超えたときに限り、上記の第４減衰量（第４調整量）を決定する。このため、本発明の第３実施形態に係る表示装置３３によれば、画質の最適化を行うことができる。
【０１１３】
マイコン制御部２６がステップＳ３９、Ｓ４１、Ｓ４３のいずれかを実行しているときに、クロマ信号振幅値Ｃｐが設定クロマ信号振幅値Ｃｐｒｅｆ以下であり、高域周波数成分ピーク値ｆが設定高域周波数成分ピーク値ｆｒｅｆ以下になる場合がある（ステップＳ３３−ＮＯ、Ｓ３４−ＮＯ、Ｓ３５−ＮＯ）。この場合、マイコン制御部２６は、ステップＳ３６を実行する。マイコン制御部６は、現在の減衰量（上記の第２減衰量、第３減衰量、第４減衰量のいずれか）に代えて、ステップＳ３６により決定された第１減衰量（第１調整量）に基づいて、制御信号ＣＲＬを輝度信号ｆｓｃトラップ回路７に出力する（ステップＳ３７）。
【０１１４】
本発明の第３実施形態に係る表示装置３３によれば、ドット妨害軽減回路１３は、クロマ信号Ｃ（クロマ信号Ｃ’）の振幅値Ｃｐ、色差信号ＣＢ−Ｙ、ＣＲ−Ｙの振幅の高域周波数成分ピーク値ｆが特定範囲内（設定クロマ信号振幅値Ｃｐｒｅｆ、設定高域周波数成分ピーク値ｆｒｅｆ以下）であるときに限り、上記の第１減衰量（第１調整量）を決定し、クロマ信号Ｃ（クロマ信号Ｃ’）の振幅値Ｃｐ、色差信号ＣＢ−Ｙ、ＣＲ−Ｙの振幅の高域周波数成分ピーク値ｆが特定範囲（設定クロマ信号振幅値Ｃｐｒｅｆ、設定高域周波数成分ピーク値ｆｒｅｆ）を超えた場合に、上記の第２減衰量、第３減衰量、第４減衰量のいずれかを決定する。このため、本発明の第３実施形態に係る表示装置３３によれば、画質の最適化を行うことができる。
【０１１５】
以上の説明により、本発明の第３実施形態に係る表示装置３３によれば、複数の伝送方式に対応してドット妨害を軽減することができる。
【０１１６】
また、本発明の第３実施形態に係る表示装置３３によれば、画質の劣化を防止することができる。
【０１１７】
また、本発明の第３実施形態に係る表示装置３３によれば、画質の最適化を行うことができる。
【図面の簡単な説明】
【０１１８】
【図１】図１は、本発明の表示装置の構成を示す。（第１実施形態）
【図２】図２は、ＮＴＳＣ信号と輝度信号とクロマ信号との関係を示す。（第１実施形態）
【図３】図３は、ＰＡＬ信号と輝度信号とクロマ信号との関係を示す。（第１実施形態）
【図４】図４は、ＳＥＣＡＭ信号と輝度信号とクロマ信号との関係を示す。（第１実施形態）
【図５】図５は、本発明の表示装置のドット妨害軽減回路のＹ／Ｃ分離回路のトラップ及びバンドパスフィルタの構成を示す。（第１実施形態）
【図６】図６は、カラーバースト信号の振幅値とフィードバック電圧（フィードバック電圧値）との関係を示す。（第１実施形態）
【図７】図７は、本発明の表示装置のドット妨害軽減回路のマイコン制御部の構成を示す。（第１実施形態）
【図８】図８は、本発明の表示装置のドット妨害軽減回路のＮＴＳＣカラーバースト信号用制御テーブル６１に格納された減衰特性を示す。（第１実施形態）
【図９】図９は、本発明の表示装置のドット妨害軽減回路のＰＡＬカラーバースト信号用制御テーブル６２に格納された減衰特性を示す。（第１実施形態）
【図１０】図１０は、本発明の表示装置のドット妨害軽減回路のＳＥＣＡＭカラーバースト信号用制御テーブル６３に格納された減衰特性（双峰特性）を示す。（第１実施形態）
【図１１】図１１は、本発明の表示装置のドット妨害軽減回路のマイコン制御部の動作を示すフローチャートである。（第１実施形態）
【図１２】図１２は、カラーバースト信号の振幅値とフィードバック電圧（フィードバック電圧値）との関係を示す。（第１実施形態）
【図１３】図１３は、本発明の表示装置のドット妨害軽減回路の減衰量設定メモリ６５に格納されたフィードバック電圧−減衰量特性を示す。（第１実施形態）
【図１４】図１４は、本発明の表示装置の構成を示す。（第２実施形態）
【図１５】図１５は、本発明の表示装置のドット妨害軽減回路のマイコン制御部の構成を示す。（第２実施形態）
【図１６】図１６は、本発明の表示装置のドット妨害軽減回路のＮＴＳＣクロマ信号用制御テーブル７１に格納された減衰特性を示す。（第２実施形態）
【図１７】図１７は、本発明の表示装置のドット妨害軽減回路のＰＡＬクロマ信号用制御テーブル７２に格納された減衰特性を示す。（第２実施形態）
【図１８】図１８は、本発明の表示装置のドット妨害軽減回路のＳＥＣＡＭクロマ信号用制御テーブル７３に格納された減衰特性（双峰特性）を示す。（第２実施形態）
【図１９】図１９（ａ）は、色差信号を示し、図１９（ｂ）は、高域周波数成分を示す。（第２実施形態）
【図２０】図２０は、本発明の表示装置のドット妨害軽減回路のＮＴＳＣ色差信号用制御テーブル８１に格納された減衰特性を示す。（第２実施形態）
【図２１】図２１は、本発明の表示装置のドット妨害軽減回路のＰＡＬ色差信号用制御テーブル８２に格納された減衰特性を示す。（第２実施形態）
【図２２】図２２は、本発明の表示装置のドット妨害軽減回路のＳＥＣＡＭ色差信号用制御テーブル８３に格納された減衰特性（双峰特性）を示す。（第２実施形態）
【図２３】図２３は、本発明の表示装置のドット妨害軽減回路のマイコン制御部の動作を示すフローチャートである。（第２実施形態）
【図２４】図２４は、本発明の表示装置の構成を示す。（第３実施形態）
【図２５】図２５は、本発明の表示装置のドット妨害軽減回路のマイコン制御部の構成を示す。（第３実施形態）
【図２６】図２６は、本発明の表示装置のドット妨害軽減回路のマイコン制御部の動作を示すフローチャートである。（第３実施形態）
【符号の説明】
【０１１９】
１    Ｙ／Ｃ分離回路
１Ａ  トラップフィルタ
１Ｂ  バンドパスフィルタ
２    ＡＣＣ回路
３    クロマ増幅回路
４    ＡＣＣ検出回路
５    クロマ復調回路
６、１６、２６    マイコン制御部
７    輝度信号ｆｓｃトラップ回路
８    輝度信号処理回路
９    ＲＧＢマトリックス回路
１０    表示部
１１    クロマ信号復調制御回路
１２    輝度信号制御回路
１３    ドット妨害軽減回路
３１、３２、３３    表示装置
６０    カラーバースト信号用制御メモリ
６１    ＮＴＳＣカラーバースト信号用制御テーブル
６２    ＰＡＬカラーバースト信号用制御テーブル
６３    ＳＥＣＡＭカラーバースト信号用制御テーブル
６５    減衰量設定メモリ
７０    クロマ信号用制御メモリ
７１    ＮＴＳＣクロマ信号用制御テーブル
７２    ＰＡＬクロマ信号用制御テーブル
７３    ＳＥＣＡＭクロマ信号用制御テーブル
８０    色差信号用制御メモリ
８１    ＮＴＳＣ色差信号用制御テーブル
８２    ＰＡＬ色差信号用制御テーブル
８３    ＳＥＣＡＭ色差信号用制御テーブル
ＣＯＭ    コンポジットビデオ信号
Ｃ、Ｃ’    クロマ信号
ＣＢ−Ｙ、ＣＲ−Ｙ    色差信号
Ｙ、Ｙ’、Ｙ’’    輝度信号
Ｒ、Ｇ、Ｂ    画像信号
Ｓｙｓ    伝送方式情報
ＣＶｓｂ、ＣＣ    クロマ関連情報
ＣＲＬ    制御信号
Ｓｂ    カラーバースト信号
ＡＲ１    微弱信号領域
ＡＲ２    通常信号領域
ＡＲ３    白黒信号領域
Ｖｓｂｒｅｆ    基準値
Ｖｓｂ    カラーバースト信号振幅値
Ｄ１、Ｄ２    減衰量
Ｃｐ    クロマ信号振幅値
Ｃｐｒｅｆ    設定クロマ信号振幅値
ｆ    高域周波数成分ピーク値
ｆｒｅｆ    設定高域周波数成分ピーク値
【図１】
2005286694.tif 000003
【図２】
2005286694.tif 000004
【図３】
2005286694.tif 000005
【図４】
2005286694.tif 000006
【図５】
2005286694.tif 000007
【図６】
2005286694.tif 000008
【図７】
2005286694.tif 000009
【図８】
2005286694.tif 000010
【図９】
2005286694.tif 000011
【図１０】
2005286694.tif 000012
【図１１】
2005286694.tif 000013
【図１２】
2005286694.tif 000014
【図１３】
2005286694.tif 000015
【図１４】
2005286694.tif 000016
【図１５】
2005286694.tif 000017
【図１６】
2005286694.tif 000018
【図１７】
2005286694.tif 000019
【図１８】
2005286694.tif 000020
【図１９】
2005286694.tif 000021
【図２０】
2005286694.tif 000022
【図２１】
2005286694.tif 000023
【図２２】
2005286694.tif 000024
【図２３】
2005286694.tif 000025
【図２４】
2005286694.tif 000026
【図２５】
2005286694.tif 000027
【図２６】
2005286694.tif 000028